(57)【要約】      （修正有）【課題】スプール本体のフランジ外側面を駆動面として利用していたために、釣り糸と駆動機構（駆動ローラー及び駆動面）の距離が近過ぎ、スプールから外れた釣り糸が、駆動力伝達軸やスプールに巻き付いたり、釣り糸が絡んだりするトラブルを解消すること。【解決手段】駆動ローラーの回転により、スプール５３の駆動面をスプール軸５８を中心として回転させることにより、スプール５３全体を回転させる釣り用電動リールにおいて、スプール５３の駆動面をフランジとは別個独立に設けた駆動ディスクの側面に設けることによって、駆動ローラーと駆動面の間に釣り糸が巻き込まれて発生する糸絡みの発生頻度を著しく低減出来る。【選択図】図１
2010063377.tif 000002
【特許請求の範囲】
【請求項１】
モーター（５１）、プーリー（５２）、駆動ベルト（２２）、駆動ローラー（２０）、クラッチボックス（６４）、スプール（５３）、スプール軸 （５８）、スプールカバー本体（５４）、スプールカバーフタ（５５）、板バネ（６０）、リミットスイッチ（５６）、電池（６１）、穂先取り付けジョイント（５７）、補助台（Ｓ）、ボタンスイッチ（Ｒ）、および、レバースイッチ（Ｑ）のモジュールを含んで構成される釣り用電動リールであって、
第１の基本構造として、スプール系基本構造が、スプール（１）が軸受け（７）に貫通されたスプール軸 （５８）を中心として回転するものであり、スプール（１）が、駆動ディスク（３０）、フランジ（６９−ａ、６９―ｂ）とベアリング（５９）を含んで構成され、駆動ローラー（２０）の回転により、駆動ディスク（３０）に設けられた駆動面（４）をスプール軸 （５８）を中心として回転させることにより、スプール（１）全体を回転させるものであり、
第２の基本構造として、駆動系基本構造が、モーター（５１）の回転軸に取り付けたプーリー（５２）を、電池（６１）を電源としてモーター（５１）を回転せしめることにより回転をさせ、駆動ベルト（２２）を介して駆動ローラー（２０）を回転せしめ、駆動ローラー（２０）を回転をさせることにより駆動ディスク（３０）スプール軸 （５８）を中心に回転させることによりスプール（５３）を回転せしめるものであり、
第３の基本構造として、回転系基本構造が、ボタンスイッチ（Ｒ）及び／又はレバースイッチ（Ｑ）をＯＮとしたクラッチＯＮ状態においては、モーター（５１）の回転軸に取り付けたプーリー（５２）を、モーター（５１）の駆動により回転せしめ、プーリー（５２）を回転をさせることにより駆動ベルト（２２）を介して駆動ローラー（２０）を回転せしめ、クラッチＯＮとすることにより、駆動ローラー（２０）の回転を伝達して、スプール軸 （５８）を中心としてスプール（５３）を回転せしめることにより糸（Ｋ）を巻き上げるものであり、ボタンスイッチ（Ｒ）及び／又はレバースイッチ（Ｑ）をＯＦＦとしたクラッチＯＦＦ状態においては、クラッチＯＦＦとすることにより、駆動ローラー（２０）の回転を遮断して、スプール軸 （５８）を中心としてスプール（５３）を自由回転状態とすることにより糸（Ｋ）を繰り出すものであり、
第４の基本構造として、糸繰り出し巻き上げ系基本構造が、スプール（１）に設けられた二つのフランジ（６９−ａ、６９―ｂ）の間の谷間に巻き取った糸（Ｋ）を繰り出したり巻き上げたりするものであり、スプール（１）は、スプールカバー本体（５４）とスプールカバーフタ（５５）を含んで構成される筐体の内部に収納され、スプールカバーフタ（５５）は、スプールカバー本体（５４）に嵌め込まれたものであり、スプールカバー本体（５４）とスプールカバーフタ（５５）は板バネ（６０）によって圧着されたものであり、
第５の基本構造として、本体基本構造として、本体（７０）の内部にモーター（５１）と電池（６１）を収納し、本体（７０）の外部に回転系基本構造におけるスプール（１）、及び、駆動系基本構造におけるモーター（５１）を、非可動式かつ定常的に固定し、本体（７０）の先端部分に穂先を取り付けるための穂先取り付けジョイント（５７）を備えたものであって、
第１の発明特定事項として、スプール系構造において、スプール（５３）の駆動面（４）を、フランジ（６９−ａ、６９−ｂ）の側面に設けるのではなく、フランジ（６９−ａ、６９−ｂ）とは独立に設けた駆動ディスク（３０）の側面に設けることにより糸（Ｋ）が駆動ディスク（３０）までに到達し難くいという発明特定事項を具備せしめることにより、
第１の機能として、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体（スプールカバー本体（５４）とスプールカバーフタ（５５）を含んで構成される筐体）内部の糸絡み（バックラッシュ）を顕著に抑制するという機能を奏し、
第２の発明特定事項として、スプール（５３）外側面とスプールカバー本体（５４）内側面の隙間、並びに、スプール（５３）外側面とスプールカバーフタ（５５）内側面の隙間を、使用すべき糸（Ｋ）の直径よりも小さい隙間とする発明特定事項を具備せしめることにより、
第２の機能として、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体（スプールカバー本体（５４）とスプールカバーフタ（５５）を含んで構成される筐体）外部の糸絡み（バックラッシュ）を顕著に抑制するという機能を奏し、
第３の発明特定事項として、クラッチ系構造において、ボタンスイッチ（Ｒ）及び／又はレバースイッチ（Ｑ）をＯＮとすることによりクラッチボックス（６４）内のクラッチをＯＮとした場合には、巻き取りモード（駆動ローラー（２０）の回転を駆動ディスク（３０）に伝えてスプール（５３）を回転させることにより糸（Ｋ）を巻き取るモード）とし、ボタンスイッチ（Ｒ）及び／又はレバースイッチ（Ｑ）をＯＦＦとすることによりクラッチボックス（６４）内のクラッチをＯＦＦとした場合には、繰り出しモード（駆動ローラー（２０）の回転を駆動ディスク（３０）に伝えずに、スプール（５３）を自由回転状態とすることにより糸（Ｋ）を繰り出すモード）とする発明特定事項を具備せしめることにより、
第３の機能として、駆動系基本構造におけるモーター（５１）、及び、回転系基本構造におけるスプール（１）を、本体（７０）に対して、非可動式の定常的固定状態としたまま、所望によりクラッチのスイッチのＯＮ／ＯＦＦを切り替えてスプール（５３）の糸（Ｋ）を巻き取りモード／繰り出しモードに切り替えることにより、駆動系基本構造におけるモーター（５１）からの回転系基本構造におけるスプール（１）への駆動伝達機構を単純化することができるという機能を奏し、
第４の発明特定事項として、モーター（５１）、スプール（５３）及びスプールカバー本体（５４）を、本体（７０）に固定するという発明特定事項を具備せしめることにより、
第４の機能として、モーター（５１）によりスプール（５３）を回転せしめたときに、スプール（５３）の回転に起因する振動を顕著に抑制すると共に、駆動系基本構造、回転系基本構造、回転系基本構造、及び、糸繰り出し巻き上げ系基本構造の耐用期間を顕著に延長するという機能を奏し、
第５の発明特定事項として、スプールカバーフタ（５５）をスプールカバー本体（５４）から脱着可能とし、使用すべき糸（Ｋ）を通すためのスプールカバーガイド（６６）をスプールカバーフタ（５５）と一体化して設けておき、使用すべき糸（Ｋ）を固定しておくためのフック（Ｆ）をスプール（５３）と一体化して設けておくという発明特定事項を具備せしめることにより、
第５の機能として、棚取りの際に、スプールカバーフタ（５５）をスプールカバー本体（５４）から、一時的に外して、スプールカバーフタ（５５）と一体化しているスプールカバーガイド（６６）に通してある糸（Ｋ）を、所望の位置でフック（Ｆ）に絡めることによる固定操作（リールからの繰り出す糸（Ｋ）の長さを所望の長さに固定する操作）を可能とし、固定操作終了後に、再度、スプールカバー本体（５４）をスプールカバーフタ（５５）でフタをすることを可能とすることにより、安定した棚取りを継続することができるという機能を奏する
ことを特徴とする、釣り用電動リール。
【請求項２】
「使用すべき糸（Ｋ）の直径よりも小さい隙間」
が、
「０．０ｍｍ（密着）〜０．３ｍｍ」
であることを特徴とする、請求項１に記載した、釣り用電動リール。
【請求項３】
「モーター（５１）、スプール（５３）及びスプールカバー本体（５４）を、本体（７０）に固定する」
が、
「モーター（５１）、スプール（５３）及びスプールカバー本体（５４）を、本体（７０）に対して非可動式とする」
であることを特徴とする、請求項１又は２に記載した、釣り用電動リール。
【請求項４】
第６の発明特定事項として、スプールカバー本体（５４）のスプール（５３）外側面と対峙する円周方向に、貫通する溝（４０）と貫通する穴（４１）を設けておくという発明特定事項を具備せしめることにより、
第６の機能として、スプール（５３）が巻き上げ／繰り出しにより回転した際に遠心力で糸（Ｋ）から弾き飛ばされて来た液体（水滴及び／又は油滴）を、貫通する溝（４０）と貫通する穴（４１）を通して、筐体（スプールカバー本体（５４）とスプールカバーフタ（５５）を含んで構成される筐体）外部に排除し、筐体内部にある駆動ディスク（３０）及び駆動ローラー（２０）に液体（水滴及び／又は油滴）が付着することを顕著に抑制するという機能を奏することを特徴とする、
請求項１乃至３の何れかに記載した、釣り用電動リール。
【請求項５】
第７の発明特定事項として、スプールカバー本体（５４）の側壁に、スプールカバーガイド（６６）を嵌め込むことができる嵌め込み溝（Ｌ）を設けておき、スプールカバー本体（５４）内側面とスプールカバーガイド（６６）内側面を同一面とするという発明特定事項を具備せしめることにより、
第７の機能として、糸（Ｋ）の巻き上げ時、及び／又は、繰り出し時における、スプール（５３）外側面とスプールカバーガイド（６６）の隙間からの糸（Ｋ）のはみ出しに起因する糸絡み（バックラッシュ）を顕著に抑制するという機能を奏することを特徴とする、
請求項１乃至４の何れかに記載した、釣り用電動リール。
【請求項６】
第８の発明特定事項として、
駆動ディスク（３０）の駆動面（４）表面において、
駆動ディスク（３０）の深さ方向については、駆動面（４）表面から反対側の側面に向けて、
駆動ディスク（３０）の平面方向については、駆動面（４）表面の円周方向、放射線方向、又は、渦巻き状に複数穿つという発明特定事項を具備せしめることにより、
第８の機能として、
孔を介して駆動面（４）表面上の水及び／又は油を排除するという機能と、
孔に起因する摩擦抵抗により、駆動面（４）表面上における駆動ローラー（２０）のスリップを抑制するという機能を奏することを特徴とする、
請求項１乃至５の何れかに記載した釣り用電動リール。
【請求項７】
孔が、駆動面（４）表面上における駆動ローラー（２０）の接触長さの１〜８０％の直径を有するものであることを特徴とする、
請求項６に記載した釣り用電動リール。
【請求項８】
孔が、円周方向に沿って孔の直径の２０〜２００％の長さの間隔で穿ったものであることを特徴とする、
請求項６又は７に記載した釣り用電動リール。
【請求項９】
孔が、
一の孔の中心と、隣接する他の孔の中心の距離が直径の１００〜１０００％であることを特徴とする、
請求項６乃至８の何れかに記載した釣り用電動リール。
【請求項１０】
孔の深さが、
駆動面（４）の厚みの０．０１〜１００％（貫通）であることを特徴とする、
請求項９乃至１２の何れかに記載した釣り用電動リール。
【請求項１１】
第９の発明特定事項として、
駆動ディスク（３０）の駆動面（４）において、
駆動ディスク（３０）の平面方向について、放射状及び／又は渦巻き状の溝を複数穿つという発明特定事項を具備せしめることにより、
第９の機能として、
駆動面（４）表面上に穿った溝を介して駆動面（４）表面上の水及び／又は油を遠心力により排除するという機能と、
溝に起因する摩擦抵抗により、駆動面（４）表面上における駆動ローラー（２０）のスリップを抑制するという機能を奏することを特徴とする、
請求項１乃至１０の何れかに記載した釣り用電動リール。
【請求項１２】
溝が、
駆動面（４）表面上における駆動ローラー（２０）の接触長さの１〜８０％の溝幅を有するものであることを特徴とする、
請求項１１に記載した釣り用電動リール。
【請求項１３】
溝が、
放射状及び／又は渦巻き状となっている相互に隣接する直近の溝同士の中心間隔が、溝幅の１００〜１０００％の長さの間隔であることを特徴とする、
請求項１１又は１２に記載した釣り用電動リール。
【請求項１４】
溝が、
駆動面（４）の厚みの０．０１〜１００％の深さを有するものであることを特徴とする、
請求項１１乃至１３の何れかに記載した釣り用電動リール。
【発明の詳細な説明】
【技術分野】
【０００１】
本出願に係る発明は、釣り用電動リールに関する。
【背景技術】
【０００２】
従来の技術の釣り用電動リールは、一般的には、モーターの回転駆動力をスプールに伝達するための動力伝達機構において、ギアにより駆動力伝達軸からスプール本体に動力を伝達する機構が採用されている。
従来の技術において、動力伝達機構として、駆動ローラーを採用せずに、ギアを採用しているのは、駆動ローラーを使用すると、駆動ローラーが水や油を巻き込んでスリップを起こすからであった。
【０００３】
然るに、動力伝達機構として駆動ローラーを採用すると、騒音や振動が発生しにくいという利点がある一方において、動力伝達機構としてギアを使用すると、騒音や振動が発生するという問題があった。
このような問題は、静かな釣りを楽しむ釣り人にとっては、自分や近隣の釣り人に対して騒音や振動を及ぼす極めて不愉快なものである。
【０００４】
従来の技術の釣り用電動リールは、一般的には、モーターの回転駆動力をスプールから遮断してスプールをフリー（自由回転状態）とするための動力遮断機構において、本体に対して可動式の駆動モーターが、駆動位置から遮断位置に移動することにより、駆動力伝達軸からスプール本体に動力を遮断する機構が採用されている。
【０００５】
このようなスプールをフリー（自由回転状態）にする際に固定式スプールから移動式駆動モーターを移動して両者を離す技術においては、駆動モーターが移動式であるがために、本体にしっかりと装着されていないため、騒音及び振動が発生すると共に、駆動モーターの寿命も落ちるという問題があった。
このような問題も、静かな釣りを楽しむ釣り人にとっては、自分や近隣の釣り人に対して騒音や振動を及ぼす極めて不愉快なものである。
【０００６】
スプールをフリー（自由回転状態）にする際に固定式駆動モーターから移動式スプールを移動して両者を離す技術においては、釣り糸を巻きとるスプールが移動式であるがために、糸の巻き取り中や、糸の繰り出し（仕掛けの落下）中に、釣り竿を動かすと、糸が暴れて、糸がスプールから外れてしまい、スプールを取り付けているシャフトやボスなどに絡みつくという問題があった。
【０００７】
このような問題は、例えば、ワカサギ等の大きな魚群に当たり、手返しが必要な時間帯に糸が絡み付いてしまうと、釣り人にとってみすみす大漁の機会を逃すこととなり、極めて不愉快なものである。
【０００８】
従来の技術においては、動力伝達機構において、ギアではなく、駆動ローラー（２０）を使用する技術もあるけれども、このような従来の技術においては、釣り用電動リールは、回転駆動力をスプールに伝達する際にスプール本体裏面が押圧面（駆動面）となり、駆動ローラー（２０）を押圧面（駆動面）に押圧することにより、スプールを駆動していた。
【特許文献１】特開平１０−１９１８４４号公報
【特許文献２】特開２００２−２２３６７３号公報
【０００９】
しかしながら、動力伝達機構に駆動ローラーを使用した釣り用電動リールの従来の技術においては、以下のような問題があった。
【００１０】
［従来の技術における問題点〜その１］
従来の技術においては、スプール系構造において、スプール（５３）の駆動面（４）を、フランジ（６９−ａ、６９−ｂ）の側面に設けるという構成要件を採用している。
そのため、従来の技術においては、糸（Ｋ）と駆動ディスク（３０）との間の距離が極めて近接して、糸（Ｋ）が弛むと駆動ディスク（３０）まで到達し易いがために、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体（スプールカバー本体（５４）とスプールカバーフタ（５５）を含んで構成される筐体）内部の糸絡み（バックラッシュ）が極めて発生し易いという問題がある。
即ち、スプール（５３）本体外側（フランジ（６９−ａ、６９−ｂ））側面を押圧面（駆動面（４））として利用していたために、釣り糸（Ｋ）と駆動機構（駆動ローラー及び駆動面）の距離が近すぎるがために、スプールから弛みにより外れた釣り糸（Ｋ）が、駆動力伝達軸やスプール（５３）に巻き付いたり、釣り糸（Ｋ）が絡んだりするトラブルが頻発するという問題があった。
【００１１】
［従来の技術における問題点〜その２］
従来の技術においては、スプール（５３）が筐体（スプールカバー本体（５４）とスプールカバーフタ（５５）を含んで構成される筐体）によって覆われていなかったり、スプール（５３）が筐体（スプールカバー本体（５４）とスプールカバーフタ（５５）を含んで構成される筐体）によって覆われていたとしても、スプール（５３）外側面とスプールカバー本体（５４）内側面の隙間、並びに、スプール（５３）外側面とスプールカバーフタ（５５）内側面の隙間が、使用すべき糸（Ｋ）の直径よりも大きい隙間である。
そのため、従来の技術においては、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体（スプールカバー本体（５４）とスプールカバーフタ（５５）を含んで構成される筐体）外部の糸絡み（バックラッシュ）が極めて発生し易いという問題がある。
従来の技術において、スプール（５３）外側面とスプールカバー本体（５４）内側面の隙間、並びに、スプール（５３）外側面とスプールカバーフタ（５５）内側面の隙間が、使用すべき糸（Ｋ）の直径よりも大きい隙間であったのは、スプール（５３）、スプールカバー本体（５４）、スプールカバーフタ（５５）の製造が、伝統的なダイカスト技術等に依存しているがために、製品寸法精度が低いことによる。
【００１２】
［従来の技術における問題点〜その３］
従来の技術においては、釣り用電動リールにおいて、繰り出しモード（モーター（５１）の回転をギア機構等により伝えてスプール（５３）を回転させることにより糸（Ｋ）を巻き取るモード）と、巻き取りモード（モーター（５１）の回転をギア機構等により伝えずにスプール（５３）を自由回転状態とすることにより糸（Ｋ）を繰り出すモード）を切り替えるためには、モーター（５１）とスプール（５３）の相対的な位置又は距離を切り替えることにより、モーター（５１）からスプール（５３）への駆動伝達を切り替えている。
そのため、従来の技術においては、回転系基本構造におけるスプール（１）、及び／又は、駆動系基本構造におけるモーター（５１）を、本体（７０）に対して、可動式の非固定状態とせざるを得ず、駆動系基本構造におけるモーター（５１）からの回転系基本構造におけるスプール（１）への駆動伝達機構が複雑で、コスト高となり、故障頻度が高くなり、耐用期間を長くすることができないという問題がある。さらには、使用中に振動・ガタツキ・騒音が発生するという問題がある。
【００１３】
［従来の技術における問題点〜その４］
従来の技術においては、スプール（５３）の巻き上げ・回転に関与するモーター（５１）とスプール（５３）のうち少なくとも一つのモジュールが、本体（７０）に対して可動式である。
そのため、従来の技術においては、モーター（５１）によりスプール（５３）を回転せしめたときに、本体（７０）に対して可動式であるモジュールが、巻き上げ・回転に起因して、振動・ガタツキ・騒音が発生するという問題がある。さらには、駆動系基本構造、回転系基本構造、回転系基本構造、及び、糸繰り出し巻き上げ系基本構造の耐用期間を長くすることができないという問題がある。
【００１４】
［従来の技術における問題点〜その５］
従来の技術においては、本出願に係る発明である釣り用電動リールにおけるように、フック（Ｆ）をスプール（５３）と一体化して設けておくという技術は一般的ではない。
そのため、従来の技術においては、棚取りの際に、糸（Ｋ）を、フック（Ｆ）に絡めることにより、リールからの繰り出す糸（Ｋ）の長さを所望の長さに固定し、安定した棚取りを継続することはできないという問題がある。
【００１５】
［従来の技術における問題点〜その６］
従来の技術においては、スプール（５３）が筐体（スプールカバー本体（５４）とスプールカバーフタ（５５）を含んで構成される筐体）によって覆われていたとしても、糸（Ｋ）が筐体内部に巻き込んだ液体（海水、湖水、河川水、魚油、機械油等）を筐体外部に排出する機構はない。
そのため、従来の技術においては、スプール（５３）が巻き上げ／繰り出しにより回転した際に遠心力で糸（Ｋ）から弾き飛ばされて来た液体が、筐体（スプールカバー本体（５４）とスプールカバーフタ（５５）を含んで構成される筐体）内部にある駆動ディスク（３０）及び駆動ローラー（２０）に付着して、駆動ディスク（３０）及び駆動ローラー（２０）との間でスリップが発生するという問題がある。
スリップを発生させる原因となる液体の具体例としては、例えば、海水、河川水、湖水、結露水、魚釣り用糸コーティング剤、機械油、魚由来油等を挙げることができる。
【００１６】
［従来の技術における問題点〜その７］
従来の技術においては、本出願に係る発明である釣り用電動リールにおけるように、スプールカバーガイド（６６）を設けておくという技術的思想は存在しない。
本発明者らは、多岐に亘る試行錯誤による鋭意検討を進めた結果、スプールカバーガイド（６６）の新設が有効であるという技術的思想に到達した。
然るに、スプールカバーガイド（６６）の新設については、糸（Ｋ）の巻き上げ時、及び／又は、繰り出し時におけいて、スプール（５３）外側面とスプールカバーガイド（６６）の隙間からの糸（Ｋ）のはみ出しに起因する糸絡み（バックラッシュ）が発生するという問題に遭遇した。
【００１７】
［従来の技術における問題点〜その８］
従来の技術においては、本出願に係る発明である釣り用電動リールにおけるように、駆動ディスク（３０）において、駆動ディスク（３０）の深さ方向については、駆動面（４）表面から反対側の側面に向けて、駆動ディスク（３０）の平面方向については、駆動ディスク（３０）表面の円周方向、放射線方向、又は、渦巻き状に複数穿っておくという技術的思想は存在しない。
そのため、従来の技術においては、スプール（５３）が巻き上げ／繰り出しにより回転した際に遠心力で糸（Ｋ）から弾き飛ばされて来た液体が、筐体（スプールカバー本体（５４）とスプールカバーフタ（５５）を含んで構成される筐体）内部にある駆動ディスク（３０）及び駆動ローラー（２０）に付着して、駆動ディスク（３０）及び駆動ローラー（２０）との間でスリップが発生するという問題がある。
【００１８】
［従来の技術における問題点〜その９］
従来の技術においては、本出願に係る発明である釣り用電動リールにおけるように、駆動ディスク（３０）の駆動面（４）において、駆動ディスク（３０）の平面方向について、放射状及び／又は渦巻き状の溝を複数穿つという発明特定事項を具備せしめるという技術的思想は存在しない。
そのため、従来の技術においては、スプール（５３）が巻き上げ／繰り出しにより回転した際に遠心力で糸（Ｋ）から弾き飛ばされて来た液体が、筐体（スプールカバー本体（５４）とスプールカバーフタ（５５）を含んで構成される筐体）内部にある駆動ディスク（３０）及び駆動ローラー（２０）に付着して、駆動ディスク（３０）及び駆動ローラー（２０）との間でスリップが発生するという問題がある。
【発明の開示】
【発明が解決しようとする課題】
【００１９】
本願発明は、上記した従来の技術における問題点に鑑み、多くの試行錯誤の過程で多くの鋭意検討を行ないつつ、研究開発を推進した結果、完成に到達した。
本願発明が解決しようとする課題を以下に挙げる。
【００２０】
［発明が解決しようとする課題〜その１］
従来の技術においては、スプール系構造において、スプール（５３）の駆動面（４）を、フランジ（６９−ａ、６９−ｂ）の側面に設けるという構成要件を採用している。
そのため、従来の技術においては、糸（Ｋ）と駆動ディスク（３０）との間の距離が極めて近接して、糸（Ｋ）が弛むと駆動ディスク（３０）まで到達し易いがために、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体（スプールカバー本体（５４）とスプールカバーフタ（５５）を含んで構成される筐体）内部の糸絡み（バックラッシュ）が極めて発生し易いという問題がある。
発明が解決しようとする課題の一つは、スプール（５３）本体外側（フランジ（６９−ａ、６９−ｂ））側面を押圧面（駆動面（４））として利用していたために、釣り糸（Ｋ）と駆動機構（駆動ローラー及び駆動面）の距離が近すぎるがために、スプールから弛みにより外れた釣り糸（Ｋ）が、駆動力伝達軸やスプール（５３）に巻き付いたり、釣り糸（Ｋ）が絡んだりするトラブルが頻発するという問題を解決することである。
スプール（５３）による糸（Ｋ）の巻き上げや繰り出しの際の糸絡み（バックラッシュ）の要因を顕著に解消することである。
【００２１】
［発明が解決しようとする課題〜その２］
従来の技術においては、スプール（５３）が筐体（スプールカバー本体（５４）とスプールカバーフタ（５５）を含んで構成される筐体）によって覆われていなかったり、スプール（５３）が筐体（スプールカバー本体（５４）とスプールカバーフタ（５５）を含んで構成される筐体）によって覆われていたとしても、スプール（５３）外側面とスプールカバー本体（５４）内側面の隙間、並びに、スプール（５３）外側面とスプールカバーフタ（５５）内側面の隙間が、使用すべき糸（Ｋ）の直径よりも大きい隙間である。
従来の技術において、スプール（５３）外側面とスプールカバー本体（５４）内側面の隙間、並びに、スプール（５３）外側面とスプールカバーフタ（５５）内側面の隙間が、使用すべき糸（Ｋ）の直径よりも大きい隙間であったのは、スプール（５３）、スプールカバー本体（５４）、スプールカバーフタ（５５）の製造が、伝統的なダイカスト技術等に依存しているがために、製品寸法精度が低いことによる。
発明が解決しようとする課題の一つは、従来の技術における、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体（スプールカバー本体（５４）とスプールカバーフタ（５５）を含んで構成される筐体）外部の糸絡み（バックラッシュ）が極めて発生し易いという問題を解決することである。
スプール（５３）による糸（Ｋ）の巻き上げや繰り出しの際の糸絡み（バックラッシュ）の要因を顕著に解消することである。
【００２２】
［発明が解決しようとする課題〜その３］
従来の技術においては、釣り用電動リールにおいて、繰り出しモード（モーター（５１）の回転をギア機構等により伝えてスプール（５３）を回転させることにより糸（Ｋ）を巻き取るモード）と、巻き取りモード（モーター（５１）の回転をギア機構等により伝えずにスプール（５３）を自由回転状態とすることにより糸（Ｋ）を繰り出すモード）を切り替えるためには、モーター（５１）とスプール（５３）の相対的な位置又は距離を切り替えることにより、モーター（５１）からスプール（５３）への駆動伝達を切り替えている。
発明が解決しようとする課題の一つは、従来の技術における、回転系基本構造におけるスプール（１）、及び／又は、駆動系基本構造におけるモーター（５１）を、本体（７０）に対して、可動式の非固定状態とせざるを得ず、駆動系基本構造におけるモーター（５１）からの回転系基本構造におけるスプール（１）への駆動伝達機構が複雑で、コスト高となり、故障頻度が高くなり、耐用期間を長くすることができないという問題を解決することである。
さらには、使用中に振動・ガタツキ・騒音が発生するという問題を解決することである。
さらには、モーター（５１）の駆動軸や、駆動ローラー（２０）の出力軸（６）から、スプール（５３）への動力伝達を確実にさせ、低振動、静寂性を提供することである。
【００２３】
［発明が解決しようとする課題〜その４］
従来の技術においては、スプール（５３）の巻き上げ・回転に関与するモーター（５１）とスプール（５３）のうち少なくとも一つのモジュールが、本体（７０）に対して可動式である。
発明が解決しようとする課題の一つは、従来の技術における、モーター（５１）によりスプール（５３）を回転せしめたときに、本体（７０）に対して可動式であるモジュールが、巻き上げ・回転に起因して、振動・ガタツキ・騒音が発生するという問題がある。
さらには、駆動系基本構造、回転系基本構造、回転系基本構造、及び、糸繰り出し巻き上げ系基本構造の耐用期間を長くすることができないという問題を解決することである。
さらには、モーター（５１）の駆動軸や、駆動ローラー（２０）の出力軸（６）から、スプール（５３）への動力伝達を確実にさせ、低振動、静寂性を提供することである。
【００２４】
［発明が解決しようとする課題〜その５］
従来の技術においては、本出願に係る発明である釣り用電動リールにおけるように、フック（Ｆ）をスプール（５３）と一体化して設けておくという技術的思想は存在しない。
発明が解決しようとする課題の一つは、従来の技術における、棚取りの際に、糸（Ｋ）を、フック（Ｆ）に絡めることにより、リールからの繰り出す糸（Ｋ）の長さを所望の長さに固定し、安定した棚取りを継続することはできないという問題を解決することである。
【００２５】
［発明が解決しようとする課題〜その６］
従来の技術においては、スプール（５３）が筐体（スプールカバー本体（５４）とスプールカバーフタ（５５）を含んで構成される筐体）によって覆われていたとしても、糸（Ｋ）が筐体内部に巻き込んだ液体（海水、湖水、河川水、魚油、機械油等）を筐体外部に排出する機構はない。
発明が解決しようとする課題の一つは、従来の技術における、スプール（５３）が巻き上げ／繰り出しにより回転した際に遠心力で糸（Ｋ）から弾き飛ばされて来た液体が、筐体（スプールカバー本体（５４）とスプールカバーフタ（５５）を含んで構成される筐体）内部にある駆動ディスク（３０）及び駆動ローラー（２０）に付着して、駆動ディスク（３０）及び駆動ローラー（２０）との間でスリップが発生するという問題を解決することである。
さらには、モーター（５１）の駆動軸や、駆動ローラー（２０）の出力軸（６）から、スプール（５３）への動力伝達を確実にさせ、低振動、静寂性を提供することである。
スリップを発生させる原因となる液体の具体例としては、例えば、海水、河川水、湖水、結露水、魚釣り用糸コーティング剤、機械油、魚由来油等を挙げることができる。
【００２６】
［発明が解決しようとする課題〜その７］
従来の技術においては、本出願に係る発明である釣り用電動リールにおけるように、スプールカバーガイド（６６）を設けておくという技術的思想は存在しない。
本発明者らは、多岐に亘る試行錯誤による鋭意検討を進めた結果、スプールカバーガイド（６６）の新設が有効であるという技術的思想に到達した。
発明が解決しようとする課題の一つは、本発明者らが遭遇した、スプールカバーガイド（６６）の新設については、糸（Ｋ）の巻き上げ時、及び／又は、繰り出し時におけいて、スプール（５３）外側面とスプールカバーガイド（６６）の隙間からの糸（Ｋ）のはみ出しに起因する糸絡み（バックラッシュ）が発生するという問題を解決することである。
スプール（５３）による糸（Ｋ）の巻き上げや繰り出しの際の糸絡み（バックラッシュ）の要因を顕著に解消することである。
【００２７】
［発明が解決しようとする課題〜その８］
従来の技術においては、本出願に係る発明である釣り用電動リールにおけるように、駆動ディスク（３０）において、駆動ディスク（３０）の深さ方向については、駆動面（４）表面から反対側の側面に向けて、駆動ディスク（３０）の平面方向については、駆動ディスク（３０）表面の円周方向、放射線方向、又は、渦巻き状に複数穿っておくという技術的思想は存在しない。
発明が解決しようとする課題の一つは、従来の技術における、スプール（５３）が巻き上げ／繰り出しにより回転した際に遠心力で糸（Ｋ）から弾き飛ばされて来た液体が、筐体（スプールカバー本体（５４）とスプールカバーフタ（５５）を含んで構成される筐体）内部にある駆動ディスク（３０）及び駆動ローラー（２０）に付着して、駆動ディスク（３０）及び駆動ローラー（２０）との間でスリップが発生するという問題を解決することである。
さらには、モーター（５１）の駆動軸や、駆動ローラー（２０）の出力軸（６）から、スプール（５３）への動力伝達を確実にさせ、低振動、静寂性を提供することである。
【００２８】
［発明が解決しようとする課題〜その９］
従来の技術においては、本出願に係る発明である釣り用電動リールにおけるように、駆動ディスク（３０）の駆動面（４）において、駆動ディスク（３０）の平面方向について、放射状及び／又は渦巻き状の溝を複数穿つという発明特定事項を具備せしめるという技術的思想は存在しない。
発明が解決しようとする課題の一つは、従来の技術における、スプール（５３）が巻き上げ／繰り出しにより回転した際に遠心力で糸（Ｋ）から弾き飛ばされて来た液体が、筐体（スプールカバー本体（５４）とスプールカバーフタ（５５）を含んで構成される筐体）内部にある駆動ディスク（３０）及び駆動ローラー（２０）に付着して、駆動ディスク（３０）及び駆動ローラー（２０）との間でスリップが発生するという問題を解決することである。
さらには、モーター（５１）の駆動軸や、駆動ローラー（２０）の出力軸（６）から、スプール（５３）への動力伝達を確実にさせ、低振動、静寂性を提供することである。
【００２９】
［発明が解決しようとする課題〜その１０］
発明が解決しようとする課題の一つは、快適な釣りを長期間楽しむための機能とデザインに卓越した魚釣り用リール巻き取り駆動機構、魚釣り用リール巻き取り駆動装置、デザイン等を提供することである。
【課題を解決するための手段】
【００３０】
本出願に係る発明は、以下に示す［請求項１］〜［請求項１４］に記載した発明である。
【００３１】
［請求項１］  モーター（５１）、プーリー（５２）、駆動ベルト（２２）、駆動ローラー（２０）、クラッチボックス（６４）、スプール（５３）、スプール軸 （５８）、スプールカバー本体（５４）、スプールカバーフタ（５５）、板バネ（６０）、リミットスイッチ（５６）、電池（６１）、穂先取り付けジョイント（５７）、補助台（Ｓ）、ボタンスイッチ（Ｒ）、および、レバースイッチ（Ｑ）のモジュールを含んで構成される釣り用電動リールであって、
第１の基本構造として、スプール系基本構造が、スプール（１）が軸受け（７）に貫通されたスプール軸 （５８）を中心として回転するものであり、スプール（１）が、駆動ディスク（３０）、フランジ（６９−ａ、６９―ｂ）とベアリング（５９）を含んで構成され、駆動ローラー（２０）の回転により、駆動ディスク（３０）に設けられた駆動面（４）をスプール軸 （５８）を中心として回転させることにより、スプール（１）全体を回転させるものであり、
第２の基本構造として、駆動系基本構造が、モーター（５１）の回転軸に取り付けたプーリー（５２）を、電池（６１）を電源としてモーター（５１）を回転せしめることにより回転をさせ、駆動ベルト（２２）を介して駆動ローラー（２０）を回転せしめ、駆動ローラー（２０）を回転をさせることにより駆動ディスク（３０）スプール軸 （５８）を中心に回転させることによりスプール（５３）を回転せしめるものであり、
第３の基本構造として、回転系基本構造が、ボタンスイッチ（Ｒ）及び／又はレバースイッチ（Ｑ）をＯＮとしたクラッチＯＮ状態においては、モーター（５１）の回転軸に取り付けたプーリー（５２）を、モーター（５１）の駆動により回転せしめ、プーリー（５２）を回転をさせることにより駆動ベルト（２２）を介して駆動ローラー（２０）を回転せしめ、クラッチＯＮとすることにより、駆動ローラー（２０）の回転を伝達して、スプール軸 （５８）を中心としてスプール（５３）を回転せしめることにより糸（Ｋ）を巻き上げるものであり、ボタンスイッチ（Ｒ）及び／又はレバースイッチ（Ｑ）をＯＦＦとしたクラッチＯＦＦ状態においては、クラッチＯＦＦとすることにより、駆動ローラー（２０）の回転を遮断して、スプール軸 （５８）を中心としてスプール（５３）を自由回転状態とすることにより糸（Ｋ）を繰り出すものであり、
第４の基本構造として、糸繰り出し巻き上げ系基本構造が、スプール（１）に設けられた二つのフランジ（６９−ａ、６９―ｂ）の間の谷間に巻き取った糸（Ｋ）を繰り出したり巻き上げたりするものであり、スプール（１）は、スプールカバー本体（５４）とスプールカバーフタ（５５）を含んで構成される筐体の内部に収納され、スプールカバーフタ（５５）は、スプールカバー本体（５４）に嵌め込まれたものであり、スプールカバー本体（５４）とスプールカバーフタ（５５）は板バネ（６０）によって圧着されたものであり、
第５の基本構造として、本体基本構造として、本体（７０）の内部にモーター（５１）と電池（６１）を収納し、本体（７０）の外部に回転系基本構造におけるスプール（１）、及び、駆動系基本構造におけるモーター（５１）を、非可動式かつ定常的に固定し、本体（７０）の先端部分に穂先を取り付けるための穂先取り付けジョイント（５７）を備えたものであって、
第１の発明特定事項として、スプール系構造において、スプール（５３）の駆動面（４）を、フランジ（６９−ａ、６９−ｂ）の側面に設けるのではなく、フランジ（６９−ａ、６９−ｂ）とは独立に設けた駆動ディスク（３０）の側面に設けることにより糸（Ｋ）が駆動ディスク（３０）までに到達し難くいという発明特定事項を具備せしめることにより、
第１の機能として、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体（スプールカバー本体（５４）とスプールカバーフタ（５５）を含んで構成される筐体）内部の糸絡み（バックラッシュ）を顕著に抑制するという機能を奏し、
第２の発明特定事項として、スプール（５３）外側面とスプールカバー本体（５４）内側面の隙間、並びに、スプール（５３）外側面とスプールカバーフタ（５５）内側面の隙間を、使用すべき糸（Ｋ）の直径よりも小さい隙間とする発明特定事項を具備せしめることにより、
第２の機能として、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体（スプールカバー本体（５４）とスプールカバーフタ（５５）を含んで構成される筐体）外部の糸絡み（バックラッシュ）を顕著に抑制するという機能を奏し、
第３の発明特定事項として、クラッチ系構造において、ボタンスイッチ（Ｒ）及び／又はレバースイッチ（Ｑ）をＯＮとすることによりクラッチボックス（６４）内のクラッチをＯＮとした場合には、巻き取りモード（駆動ローラー（２０）の回転を駆動ディスク（３０）に伝えてスプール（５３）を回転させることにより糸（Ｋ）を巻き取るモード）とし、ボタンスイッチ（Ｒ）及び／又はレバースイッチ（Ｑ）をＯＦＦとすることによりクラッチボックス（６４）内のクラッチをＯＦＦとした場合には、繰り出しモード（駆動ローラー（２０）の回転を駆動ディスク（３０）に伝えずに、スプール（５３）を自由回転状態とすることにより糸（Ｋ）を繰り出すモード）とする発明特定事項を具備せしめることにより、
第３の機能として、駆動系基本構造におけるモーター（５１）、及び、回転系基本構造におけるスプール（１）を、本体（７０）に対して、非可動式の定常的固定状態としたまま、所望によりクラッチのスイッチのＯＮ／ＯＦＦを切り替えてスプール（５３）の糸（Ｋ）を巻き取りモード／繰り出しモードに切り替えることにより、駆動系基本構造におけるモーター（５１）からの回転系基本構造におけるスプール（１）への駆動伝達機構を単純化することができるという機能を奏し、
第４の発明特定事項として、モーター（５１）、スプール（５３）及びスプールカバー本体（５４）を、本体（７０）に固定するという発明特定事項を具備せしめることにより、
第４の機能として、モーター（５１）によりスプール（５３）を回転せしめたときに、スプール（５３）の回転に起因する振動を顕著に抑制すると共に、駆動系基本構造、回転系基本構造、回転系基本構造、及び、糸繰り出し巻き上げ系基本構造の耐用期間を顕著に延長するという機能を奏し、
第５の発明特定事項として、スプールカバーフタ（５５）をスプールカバー本体（５４）から脱着可能とし、使用すべき糸（Ｋ）を通すためのスプールカバーガイド（６６）をスプールカバーフタ（５５）と一体化して設けておき、使用すべき糸（Ｋ）を固定しておくためのフック（Ｆ）をスプール（５３）と一体化して設けておくという発明特定事項を具備せしめることにより、
第５の機能として、棚取りの際に、スプールカバーフタ（５５）をスプールカバー本体（５４）から、一時的に外して、スプールカバーフタ（５５）と一体化しているスプールカバーガイド（６６）に通してある糸（Ｋ）を、所望の位置でフック（Ｆ）に絡めることによる固定操作（リールからの繰り出す糸（Ｋ）の長さを所望の長さに固定する操作）を可能とし、固定操作終了後に、再度、スプールカバー本体（５４）をスプールカバーフタ（５５）でフタをすることを可能とすることにより、安定した棚取りを継続することができるという機能を奏する
ことを特徴とする、釣り用電動リール。
【００３２】
［請求項２］  「使用すべき糸（Ｋ）の直径よりも小さい隙間」
が、
「０．０ｍｍ（密着）〜０．３ｍｍ」
であることを特徴とする、請求項１に記載した、釣り用電動リール。
【００３３】
［請求項３］  「モーター（５１）、スプール（５３）及びスプールカバー本体（５４）を、本体（７０）に固定する」
が、
「モーター（５１）、スプール（５３）及びスプールカバー本体（５４）を、本体（７０）に対して非可動式とする」
であることを特徴とする、請求項１又は２に記載した、釣り用電動リール。
【００３４】
［請求項４］  第６の発明特定事項として、スプールカバー本体（５４）のスプール（５３）外側面と対峙する円周方向に、貫通する溝（４０）と貫通する穴（４１）を設けておくという発明特定事項を具備せしめることにより、
第６の機能として、スプール（５３）が巻き上げ／繰り出しにより回転した際に遠心力で糸（Ｋ）から弾き飛ばされて来た液体（水滴及び／又は油滴）を、貫通する溝（４０）と貫通する穴（４１）を通して、筐体（スプールカバー本体（５４）とスプールカバーフタ（５５）を含んで構成される筐体）外部に排除し、筐体内部にある駆動ディスク（３０）及び駆動ローラー（２０）に液体（水滴及び／又は油滴）が付着することを顕著に抑制するという機能を奏することを特徴とする、
請求項１乃至３の何れかに記載した、釣り用電動リール。
【００３５】
［請求項５］  第７の発明特定事項として、スプールカバー本体（５４）の側壁に、スプールカバーガイド（６６）を嵌め込むことができる嵌め込み溝（Ｌ）を設けておき、スプールカバー本体（５４）内側面とスプールカバーガイド（６６）内側面を同一面とするという発明特定事項を具備せしめることにより、
第７の機能として、糸（Ｋ）の巻き上げ時、及び／又は、繰り出し時における、スプール（５３）外側面とスプールカバーガイド（６６）の隙間からの糸（Ｋ）のはみ出しに起因する糸絡み（バックラッシュ）を顕著に抑制するという機能を奏することを特徴とする、
請求項１乃至４の何れかに記載した、釣り用電動リール。
【００３６】
［請求項６］  第８の発明特定事項として、
駆動ディスク（３０）の駆動面（４）表面において、
駆動ディスク（３０）の深さ方向については、駆動面（４）表面から反対側の側面に向けて、
駆動ディスク（３０）の平面方向については、駆動面（４）表面の円周方向、放射線方向、又は、渦巻き状に複数穿つという発明特定事項を具備せしめることにより、
第８の機能として、
孔を介して駆動面（４）表面上の水及び／又は油を排除する機能と、
孔に起因する摩擦抵抗により、駆動面（４）表面上における駆動ローラー（２０）のスリップを抑制するという機能を奏することを特徴とする、
請求項１乃至５の何れかに記載した釣り用電動リール。
【００３７】
［請求項７］  孔が、駆動面（４）表面上における駆動ローラー（２０）の接触長さの１〜８０％の直径を有するものであることを特徴とする、
請求項６に記載した釣り用電動リール。
【００３８】
［請求項８］  孔が、円周方向に沿って孔の直径の２０〜２００％の長さの間隔で穿ったものであることを特徴とする、
請求項６又は７に記載した釣り用電動リール。
【００３９】
［請求項９］  孔が、
一の孔の中心と、隣接する他の孔の中心の距離が直径の１００〜１０００％であることを特徴とする、
請求項６乃至８の何れかに記載した釣り用電動リール。
【００４０】
［請求項１０］  孔の深さが、
駆動面（４）の厚みの０．０１〜１００％（貫通）であることを特徴とする、
請求項９乃至１２の何れかに記載した釣り用電動リール。
【００４１】
［請求項１１］  第９の発明特定事項として、
駆動ディスク（３０）の駆動面（４）において、
駆動ディスク（３０）の平面方向について、放射状及び／又は渦巻き状の溝を複数穿つという発明特定事項を具備せしめることにより、
第９の機能として、
駆動面（４）表面上に穿った溝を介して駆動面（４）表面上の水及び／又は油を遠心力により排除するという機能と、
溝に起因する摩擦抵抗により、駆動面（４）表面上における駆動ローラー（２０）のスリップを抑制するという機能を奏することを特徴とする、
請求項１乃至１０の何れかに記載した釣り用電動リール。
【００４２】
［請求項１２］  溝が、
駆動面（４）表面上における駆動ローラー（２０）の接触長さの１〜８０％の溝幅を有するものであることを特徴とする、
請求項１１に記載した釣り用電動リール。
【００４３】
［請求項１３］  溝が、
放射状及び／又は渦巻き状となっている相互に隣接する直近の溝同士の中心間隔が、溝幅の１００〜１０００％の長さの間隔であることを特徴とする、
請求項１１又は１２に記載した釣り用電動リール。
【００４４】
［請求項１４］  溝が、
駆動面（４）の厚みの０．０１〜１００％の深さを有するものであることを特徴とする、
請求項１１乃至１３の何れかに記載した釣り用電動リール。
【発明の効果】
【００４５】
本発明に係る釣り用電動リールは、モーター（５１）及びスプール（５３）両方を固定した状態を維持しつつ、安定かつ確実にスプール（５３）をフリーにすることができるので、釣り糸（Ｋ）の巻き上げ、巻き下し時の糸絡み（バックラッシュ）を極度に抑制するという画期的な機能を具備せしめたことを特徴とする釣り用電動リールである。
【００４６】
本発明に係る釣り用電動リールを構成するモジュールの名称と番号・記号については、図１〜３、図２１〜２４、図２７〜２８、図３０〜３６、図４１〜４６、図４８等に示した。
【００４７】
本発明に係る釣り用電動リールについては、既存の従来の可動式スプールを具備した釣り用電動リール製品とは極めて対照的に、スプール（５３）を完全に固定するという独自の新規構造を採用したことにより、スプール（５３）とスプールカバー本体（５４）及びスプールカバーフタ（５５）の隙間を、０．０ｍｍ（密着）〜０．３ｍｍという極度に狭い隙間で、極めて高精度で安定的に維持できることから、糸絡み（バックラッシュ）を極度に抑制することができるという画期的な機能を発揮することができる。
これらの隙間は、加工装置として、ＣＡＤ／ＣＡＭシステム、ＮＣ加工システム等を応用することにより、精度（有効数字）を±１０の１乗μｍ〜±１０の２乗μｍ〜±１０の３乗μｍのレベルで制御することが可能である。
【００４８】
既存の従来の釣り用電動リール製品を構成する、スプール（５３）、スプールカバー本体（５４）及びスプールカバーフタ（５５）は、伝統的なダイキャスト技術等により製造されているが故に、製品の寸法精度が高精度（±１０の１乗μｍ〜±１０の２乗μｍ〜±１０の３乗μｍレベルの精度）なものではなかった。
【００４９】
そこで、本発明者らは、スプール（５３）とスプールカバー本体（５４）及びスプールカバーフタ（５５）の隙間を、０．０ｍｍ（密着）〜０．３ｍｍという極めて狭隘な隙間で、極めて高精度で設計加工するために、ＣＡＤ／ＣＡＭ、及び、ＮＣ旋盤等の手段を有効に活用することとした。
【００５０】
本発明に係る釣り用電動リールについては、スプールカバーフタ（５５）は、脱着自在であるので、『棚を取り』たいときは、スプールカバーフタ（５５）を一旦取り外して、釣り糸（Ｋ）をスプールカバー本体（５４）外部に設けたフック（Ｆ、参考図１４参照）に絡げることにより固定し、釣り糸（Ｋ）固定後に再度、スプールカバーフタ（５５）を取り付けることにより、極めて簡単に『棚取り』することができる。
【００５１】
ここで、『棚』とは、『水面から一定の深さに存在する魚が沢山回遊している層』を意味し、『棚を取る』とは、『水面から一定の深さに存在する魚が沢山回遊している層（棚）に餌を付けた状態の釣り針を安定的に維持する』ことを意味し、『棚取り』とは、『水面から一定の深さに存在する魚が沢山回遊している層（棚）に餌を付けた状態の釣り針を安定的に維持すること』を意味する。
【００５２】
『棚』は、場合により、魚群探知機等により探知することができるが、魚が捕食をするために好適な層であることから、水温、光、水流（海流）、プランクトン等の餌の存在等の因子に影響を受けやすいことから、通常は、繰り出す釣り糸の長さを試行錯誤の中で調整しながら、魚のアタリ（当たり、即ち、釣り針に付いている餌を魚が食べたり、突っついたりして、釣り糸や浮きが浮き沈みすること。）を検知しつつ、最適な水深を探り当てる。
【００５３】
本発明に係る釣り用電動リールについては、既存の従来の可動式スプールを具備した釣り用電動リール製品とは極めて対照的に、モーター（５１）及びスプール（５３）の両方を完全に筐体に固定するという独自のユニークな構造を採用したことから、可動部分を極度に少なくすることができ、製作当初のチューンアップした最善の状態を持続的に維持しつつ、且つ、スプール（５３）とスプールカバー本体（５４）及びスプールカバーフタ（５５）の隙間（０．０ｍｍ（密着）〜０．３ｍｍという極めて狭隘な隙間）を持続的に維持しつつ、使い込みに伴うガタツキ発生・振動発生を極度に抑制し、末長く使用することができる。
【００５４】
スプールカバー本体（５４）には、スプール（５３）と対峙する円周方向に、溝（４０）と穴（４１）を設けてあることから（図２５〜２９）、スプール（５３）が回転した際に遠心力により弾き飛ばされて来た水滴等の液体を外部に排除する機能を有する（図３９〜４１）。
【００５５】
本発明に係る釣り用電動リールは、モーター（５１）の駆動軸からスプール（５３）への動力伝達効率を極めて高く確実なものとすることにより、高度な低振動と静寂性を実現することができる釣り用電動リールである。
【００５６】
本発明に係る釣り用電動リールは、極めて審美性に優れると共に、その優れた機能（スプールをフリーにする際の糸絡みやバックラッシュ等の問題を極度に解消することができる機能等）に伴う機能美を有する釣り用電動リールである。
【００５７】
本発明に係る釣り用電動リールは、外観がスタイリッシュなデザインであるために飽きが来ず、さらには優れたユニークな内部構造（モジュールの機構・装置等）から滲み出る使い易さのために手放せなくなり、永年に亘って釣り（フィッシング）を快適に楽しむことができる。
【００５８】
［発明の効果〜その１］
第１の発明特定事項として、スプール系構造において、スプール（５３）の駆動面（４）を、フランジ（６９−ａ、６９−ｂ）の側面に設けるのではなく、フランジ（６９−ａ、６９−ｂ）とは独立に設けた駆動ディスク（３０）の側面に設けることにより糸（Ｋ）が駆動ディスク（３０）までに到達し難くいという発明特定事項を具備せしめることにより、発明の効果の一つとして、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体（スプールカバー本体（５４）とスプールカバーフタ（５５）を含んで構成される筐体）内部の糸絡み（バックラッシュ）を顕著に抑制するという発明の効果を奏する。
【００５９】
［発明の効果〜その２］
第２の発明特定事項として、スプール（５３）外側面とスプールカバー本体（５４）内側面の隙間、並びに、スプール（５３）外側面とスプールカバーフタ（５５）内側面の隙間を、使用すべき糸（Ｋ）の直径よりも小さい隙間とする発明特定事項を具備せしめることにより、発明の効果の一つとして、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体（スプールカバー本体（５４）とスプールカバーフタ（５５）を含んで構成される筐体）外部の糸絡み（バックラッシュ）を顕著に抑制するという発明の効果を奏する。
【００６０】
［発明の効果〜その３］
第３の発明特定事項として、クラッチ系構造において、クラッチボックス（６４）内のクラッチＯＮの場合には、巻き取りモード（駆動ローラー（２０）の回転を駆動ディスク（３０）に伝えてスプール（５３）を回転させることにより糸（Ｋ）を巻き取るモード）とし、クラッチボックス（６４）内のクラッチがＯＦＦの場合には、繰り出しモード（駆動ローラー（２０）の回転を駆動ディスク（３０）に伝えずに、スプール（５３）を自由回転状態とすることにより糸（Ｋ）を繰り出すモード）とする発明特定事項を具備せしめることにより、発明の効果の一つとして、駆動系基本構造におけるモーター（５１）、及び、回転系基本構造におけるスプール（１）を、本体（７０）に対して、非可動式の定常的固定状態としたまま、所望によりクラッチのスイッチのＯＮ／ＯＦＦを切り替えることによりスプール（５３）の糸（Ｋ）を巻き取りモード／繰り出しモードに切り替えることにより、駆動系基本構造におけるモーター（５１）からの回転系基本構造におけるスプール（１）への駆動伝達機構を単純化することができるという発明の効果を奏する。
【００６１】
［発明の効果〜その４］
第４の発明特定事項として、モーター（５１）、スプール（５３）及びスプールカバー本体（５４）を、本体（７０）に固定するという発明特定事項を具備せしめることにより、発明の効果の一つとして、モーター（５１）によりスプール（５３）を回転せしめたときに、スプール（５３）の回転に起因する振動を顕著に抑制すると共に、駆動系基本構造、回転系基本構造、回転系基本構造、及び、糸繰り出し巻き上げ系基本構造の耐用期間を顕著に延長するという発明の効果を奏する。
【００６２】
［発明の効果〜その５］
第５の発明特定事項として、スプールカバーフタ（５５）をスプールカバー本体（５４）から脱着可能とし、使用すべき糸（Ｋ）を通すためのスプールカバーガイド（６６）をスプールカバーフタ（５５）と一体化して設けておき、使用すべき糸（Ｋ）を固定しておくためのフック（Ｆ）をスプール（５３）と一体化して設けておくという発明特定事項を具備せしめることにより、発明の効果の一つとして、棚取りの際に、スプールカバーフタ（５５）をスプールカバー本体（５４）から、一時的に外して、スプールカバーフタ（５５）と一体化しているスプールカバーガイド（６６）に通してある糸（Ｋ）を、所望の位置でフック（Ｆ）に絡めることによる固定操作（リールからの繰り出す糸（Ｋ）の長さを所望の長さに固定する操作）を可能とし、固定操作終了後に、再度、スプールカバー本体（５４）をスプールカバーフタ（５５）でフタをすることを可能とすることにより、安定した棚取りを継続することができるという発明の効果を奏する。
【００６３】
［発明の効果〜その６］
第６の発明特定事項として、スプールカバー本体（５４）のスプール（５３）外側面と対峙する円周方向に、貫通する溝（４０）と貫通する穴（４１）を設けておくという発明特定事項を具備せしめることにより、発明の効果の一つとして、スプール（５３）が巻き上げ／繰り出しにより回転した際に遠心力で糸（Ｋ）から弾き飛ばされて来た液体（水滴及び／又は油滴）を、貫通する溝（４０）と貫通する穴（４１）を通して、筐体（スプールカバー本体（５４）とスプールカバーフタ（５５）を含んで構成される筐体）外部に排除し、筐体内部にある駆動ディスク（３０）及び駆動ローラー（２０）に液体（水滴及び／又は油滴）が付着することを顕著に抑制するという発明の効果を奏する。
【００６４】
［発明の効果〜その７］
第７の発明特定事項として、スプールカバー本体（５４）の側壁に、スプールカバーガイド（６６）を嵌め込むことができる嵌め込み溝（Ｌ）を設けておき、スプールカバー本体（５４）内側面とスプールカバーガイド（６６）内側面を同一面とするという発明特定事項を具備せしめることにより、発明の効果の一つとして、糸（Ｋ）の巻き上げ時、及び／又は、繰り出し時における、スプール（５３）外側面とスプールカバーガイド（６６）の隙間からの糸（Ｋ）のはみ出しに起因する糸絡み（バックラッシュ）を顕著に抑制するという発明の効果を奏する。
【００６５】
［発明の効果〜その８］
第８の発明特定事項として、駆動ディスク（３０）の駆動面（４）表面において、駆動ディスク（３０）の深さ方向については、駆動面（４）表面から反対側の側面に向けて、駆動ディスク（３０）の平面方向については、駆動面（４）表面の円周方向、放射線方向、又は、渦巻き状に複数穿つという発明特定事項を具備せしめることにより、発明の効果の一つとして、孔を介して駆動面（４）表面上の水及び／又は油を排除するという発明の効果と、孔に起因する摩擦抵抗により、駆動面（４）表面上における駆動ローラー（２０）のスリップを抑制するという発明の効果を奏する。
【００６６】
［発明の効果〜その９］
第９の発明特定事項として、駆動ディスク（３０）の駆動面（４）において、駆動ディスク（３０）の平面方向について、放射状及び／又は渦巻き状の溝を複数穿つという発明特定事項を具備せしめることにより、発明の効果の一つとして、駆動面（４）表面上に穿った溝を介して駆動面（４）表面上の水及び／又は油を遠心力により排除するという発明の効果と、溝に起因する摩擦抵抗により、駆動面（４）表面上における駆動ローラー（２０）のスリップを抑制するという発明の効果を奏する。
【００６７】
［発明の効果〜その１０］
発明の効果の一つは、快適な釣りを長期間楽しむための機能とデザインに卓越した魚釣り用リール巻き取り駆動機構、魚釣り用リール巻き取り駆動装置、デザインなどを提供することである。
【発明を実施するための最良の形態】
【００６８】
本願発明に係る釣り用電動リールを実施するための最良の形態を以下に記す。
【実施例１】
【００６９】
実施例１として、本願発明に係る釣り用電動リールの最も好ましい形態を、図１乃至図１４に示した。
図１は、本願発明に係る釣り用電動リールの左側面から見た全体断面図（Ａ．）と、上面図（Ｂ．）である。
【００７０】
図２は、本願発明に係る釣り用電動リールの左側面から見た全体断面図である。
【００７１】
図３は、本願発明に係る釣り用電動リールの上面図である。
【００７２】
図４は、本願発明に係る釣り用電動リールの好ましい形態の大きさを示した図面である。
【００７３】
図５は、本願発明に係る釣り用電動リール（好ましい形態）の正面図である。
【００７４】
図６は、本願発明に係る釣り用電動リール（好ましい形態）の背面図である。
【００７５】
図７は、本願発明に係る釣り用電動リール（好ましい形態）の右側面図である。
【００７６】
図８は、本願発明に係る釣り用電動リール（好ましい形態）の左側面図である。
【００７７】
図９は、本願発明に係る釣り用電動リール（好ましい形態）の上面図である。
【００７８】
図１０は、本願発明に係る釣り用電動リール（好ましい形態）の底面図である。
【００７９】
図１１〜１４は、本願発明に係る釣り用電動リール（好ましい形態）の斜視図 である。
【実施例２】
【００８０】
実施例２として、本願発明に係る釣り用電動リールにおいて使用するスプール（５３）の最も好ましい形態を、図１５乃至図２４に示した。
【００８１】
図１５は、スプール（５３）（好ましい形態）の正面図である。
【００８２】
図１６は、スプール（５３）（好ましい形態）の背面図である。
【００８３】
図１７は、スプール（５３）（好ましい形態）の右側面図である。
【００８４】
図１８は、スプール（５３）（好ましい形態）の左側面図である。
【００８５】
図１９は、スプール（５３）（好ましい形態）の上面図である。
【００８６】
図２０は、スプール（５３）（好ましい形態）の底面図である。
【００８７】
図２１は、スプール（５３）（好ましい形態）の断面図である。
【００８８】
図２２は、スプール（５３）の基本構造を示す図面である。
【００８９】
図２３は、スプール（５３）周辺の部品の名称である。
【００９０】
スプール軸（５８）の両側には、ベアリング嵌入部（８ａ、８ｂ）にベアリングを各1個ずつ装着することにより、回転性能を良好とすることができ、モーター（５１）に対する負荷を極力最小限に抑え、電池（６１）の消耗を抑えると共に、正常に運転できる状態を長期間保つことができる。
【００９１】
図２４は、本願発明におけるスプール（５３）と従来の技術におけるスプールを比較対照した図面である。
【００９２】
図２４Ａ．は、本願発明におけるスプール（５３）であって、フランジから離れた駆動ディスクに駆動面を設けた態様である。
【００９３】
図２４Ｂ．は、従来の技術におけるスプールであって、フランジ外側面を駆動面として利用した態様である。
【００９４】
本願発明に係る釣り用電動リールにおいて使用するスプール（５３）は、ＮＣ旋盤、汎用旋盤、小型旋盤、マシニングセンター、数値制御装置と結合しているＮＣフライス盤等によって加工することができる。
また、本願発明に係る釣り用電動リールにおいて使用するスプール（５３）は、レーザー加工機、プレス板金加工、プラスチック金型加工等によっても形成することができる。
【００９５】
スプール（５３）の加工方法は、特に限定されるものではないが、一般的には、ＣＡＤデータに基づきスプール（５３）形状を数値的に解析し、その数値データから得たプログラムデータをＮＣフライス盤に入力することによって、スプール（５３）を形成することができ、穴、溝の数、大きさ、配置については入力データを変更するだけで、多種多様なスプール（５３）を容易に製造することができる。
【００９６】
ＮＣ旋盤、小型旋盤、マシニングセンター、数値制御装置と結合しているＮＣフライス盤等には、予め設定した所望の三次元立体形状のスプール（５３）の形状を入力しておく。
【００９７】
この入力された情報に基づいてスプール（５３）の切削を行なう。
この場合、スプール（５３）の切削と、同時に又は別個に、駆動面（４）の切削加工についても、スプール（５３）の切削の場合と同様に、駆動面（４）の表面に孔あけ切削、溝加工を行なうことができる。
【００９８】
孔あけ切削、溝加工を行なうことにより、排水効果、グリップ効果（駆動ローラーと孔又は溝を表面に有する駆動面との間でのスリップのない駆動効果）を発揮することができる。
【００９９】
ＮＣ旋盤、小型旋盤、マシニングセンター、数値制御装置と結合しているＮＣフライス盤等を用いて、スプール（５３）を直接加工するため、１回の加工で成形品が出来上がるため、製造工程時における誤差が発生し難く、精度の高い製品を安定して生産することができ、その製造工程も簡略化される。
【０１００】
スプール（５３）、スプールカバー本体（５４）、スプールカバーフタ（５５）等、本発明に係る釣り用電動リール全般について、アルマイトや無電解ニッケルメッキ等の硬度を高めるための表面処理を施したり、焼き付け塗装・吹き付け塗装等を施すことにより、回転部、スライド部、移動部等のモジュール・部品・素材の摩耗・消耗・かじり等を抑制することができると共に、美的外観を維持し、良好な機構状態を維持し、且つ、汚れ難く長期間の使用を可能とすることができる。
【実施例３】
【０１０１】
実施例３として、本願発明に係る釣り用電動リールにおいて使用するスプール（５３）の駆動ディスク（３０）における駆動面（４）の表面形状の最も好ましい形態を、図２５乃至図２９に示した。
【０１０２】
駆動面（４）と駆動ローラー（２０）には、魚が掛かった際の巻き上げ時に、水滴等の液体がかかることが不可避である。
【０１０３】
水滴等の液体がかかった場合に、駆動面（４）の表面が、旋盤加工のみによる均一な平面であると、駆動面（４）と駆動ローラー（２０）との間のグリップ性能が極端に悪化し、回転駆動性能が極端に低下してしまう問題が発生する場合がある。
極端に悪化することから回転性能が低下するという問題があった。
【０１０４】
この場合も、スプール（５３）の切削と、同時に又は別個に、駆動面（４）の表面に孔あけ切削、溝加工を行なうことができる。
【０１０５】
孔あけ切削、溝加工を行なうことにより、排水効果、グリップ効果（駆動ローラーと孔又は溝を表面に有する駆動面との間でのスリップのない駆動効果）を発揮することができる。
【０１０６】
駆動面（４）の加工方法は、特に限定されるものではないが、一般的には、ＣＡＤデータに基づき駆動面（４）形状を数値的に解析し、その数値データから得たプログラムデータをＮＣフライス盤に入力することによって、駆動面（４）を形成することができ、穴、溝の数、大きさ、配置については入力データを変更するだけで、多種多様な駆動面（４）を容易に製造することができる。
【０１０７】
バリ取りに関してもデータの初期入力で対応することができるため、一工程で駆動面（４）の仕上げが可能となり、精度の高い製品を容易に得ることが可能である。
【０１０８】
なお、上述した切削加工によれば、従来の押圧面（駆動面）に加工することにより発明効果〜その６、その８、その９を可能とすることができる。
【０１０９】
図２５は、駆動面（４）の表面形状を示す図面である。
【０１１０】
図２５Ａ．は、駆動面（４）の表面に特殊な加工を施していない実施態様である。
【０１１１】
図２５Ｂ．は、駆動面（４）の表面に特殊な加工を施した実施態様であって、円周方向に３列の貫通孔を穿った態様である。大きい貫通孔の口径は、直径１．０ｍｍ、小さい貫通孔の口径は、直径０．５ｍｍである。
【０１１２】
図２５Ｃ．は、駆動面（４）の表面に特殊な加工を施した実施態様であって、円周方向に３列の貫通孔を穿った態様である。貫通孔の口径は、直径０．５ｍｍである。
【０１１３】
図２６Ｄ．は、駆動面（４）の表面に特殊な加工を施した実施態様であって、放射状に渦巻き状の溝を設けた態様である。溝の幅は１．０ｍｍ、深さは０．２ｍｍである。
【０１１４】
図２７は、駆動面（４）の表面形状の写真である。
【０１１５】
図２７Ａ．は、駆動面（４）の表面に特殊な加工を施していない実施態様である。
【０１１６】
図２７Ｂ．は、駆動面（４）の表面に特殊な加工を施した実施態であって、円周方向に３列の貫通孔を穿った態様である。
大きい貫通孔の口径は、直径１．０ｍｍ、小さい貫通項の口径は、直径０．５ｍｍである。
【０１１７】
図２８Ｃ．は、駆動面（４）の表面に特殊な加工を施した実施態様であって、円周方向に３列の貫通孔を穿った態様である。
貫通孔の口径は、直径１．０ｍｍである。
【０１１８】
図２８Ｄ．は、駆動面（４）の表面に特殊な加工を施した実施態様であって、放射状に渦巻き状の溝を設けた態様である。溝の幅は１．０ｍｍ、深さは０．２ｍｍである。
【０１１９】
図２９は、スプール（５３）の加工前（上段）と加工後（下段）の外観である。
【０１２０】
図２９上段左側から、スプール正面図（加工前）、スプール背面図（加工前）及びスプール側面図（加工前）である。
【０１２１】
図２９下段左側から、スプール正面図（加工後）、スプール背面図（加工後）及びスプール側面図（加工後）である。
【０１２２】
スプール正面図は、フランジ（６９−ａ）であり、スプール背面図は、駆動ディスク（３０）に対応する。
【実施例４】
【０１２３】
実施例４として、本体内部におけるモーター（５１）とプーリー（５２）の設置状態の最も好ましい形態を、断面図として図３０に示した。
【０１２４】
モーター（５１）の外径については、本体（７０）のパイプの内径に対して小さいものとする。
【０１２５】
モーター（５１）外部と本体（７０）のパイプ内側の間のクリアランスには、好ましくは、厚みのある両面テープや、軟質材（スポンジ、発泡材（ポリウレタン等）、クッション等）等で固定することにより、モーター（５１）の振動が手に伝わりにくくすることができ、モーター（５１）音の静寂性を発揮することができる。
【実施例５】
【０１２６】
実施例５として、本願発明に係る釣り用電動リールにおいて使用するクラッチボックス（６４）の最も好ましい形態を、図３１乃至図３８に示した。
クラッチ系構造においては、ボタンスイッチ（Ｒ）及び／又はレバースイッチ（Ｑ）をＯＮとすることによりクラッチボックス（６４）内のクラッチをＯＮとした場合には、巻き取りモード（駆動ローラー（２０）の回転を駆動ディスク（３０）に伝えてスプール（５３）を回転させることにより糸（Ｋ）を巻き取るモード）とすることができる。
一方、ボタンスイッチ（Ｒ）及び／又はレバースイッチ（Ｑ）をＯＦＦとすることによりクラッチボックス（６４）内のクラッチをＯＦＦとした場合には、繰り出しモード（駆動ローラー（２０）の回転を駆動ディスク（３０）に伝えずに、スプール（５３）を自由回転状態とすることにより糸（Ｋ）を繰り出すモード）とすることができる。
【０１２７】
図３１は、クラッチ駆動ＯＦＦの状態、即ち、駆動ローラ（２０）が駆動面（４）から離脱して、スプール（５３）が自由回転できる状態を示した図面である。
【０１２８】
駆動ローラー軸（２１）の両側には、駆動ローラー（２０）を装着し、一つはクラッチＯＮ／ＯＦＦのためのクラッチ軸（２３）移動手段であり、他の一つは駆動ディスク（３０）を押圧することによりスプール（５３）の回転手段となる。
クラッチ軸（２３）の側面の投影断面は、四角形等の多角形をしているので、クラッチ軸（２３）自身は、クラッチボックス（６４）に対して回転することはないが、クラッチ軸（２３）は、駆動ローラ（２０）のシャフト（軸）の軸受けの機能もあるので、クラッチ軸（２３）がクラッチボックス（６４）に対して回転することはない一方において、駆動ローラ（２０）は軸受けたるクラッチ軸（２３）に対して極めて円滑に回転することができる。
【０１２９】
駆動ローラー（２０）は、モーター（５１）駆動部のプーリー（５２）と、駆動ローラー（２０）中程のプーリーで、駆動ベルト（２２）により駆動する。
駆動ベルト（２２）のサイズや材質、種類は、合目的的に適宜選択することができる。
【０１３０】
図３２は、クラッチ駆動ＯＮの状態、即ち、駆動ローラ（２０）が駆動面（４）に圧接して、駆動ローラー（２０）により駆動面（４）が駆動される状態を示した図面である。
【０１３１】
図３３は、クラッチボックス（６４）のクラッチの駆動ＯＮ／ＯＦＦ状態とクラッチ軸（２３）の位置との関係を示した図面である。
【０１３２】
クラッチボックス（６４）においては、スプール（５３）が回転中（巻き上げ）にクラッチ軸（２３）が動かないように、クラッチ軸（２３）に装着したカラー（２７）を引き付けておく磁石（２８）を付与してある。カラー（２７）には、磁石にくっ付く機能が付与してある。
【０１３３】
スプール（５３）をフリー（自由回転状態）にする際には、クラッチ軸（２３）をスライドさせ駆動ローラー（２０）とクラッチボックス（６４）との間に入れ押し上げることにより、駆動ローラー（２０）を駆動ディスク（３０）から離す。
【０１３４】
また、スプール（５３）を駆動状態にする際には、クラッチ軸（２３）を反対方向に移動させて、クラッチ軸の溝（４０）に駆動ローラー（２０）を下げることにより、駆動ローラー（２０）を駆動ディスク（３０）に押圧する。
【０１３５】
ボタンスイッチ（Ｒ）とレバースイッチ（Ｑ）（図３）でモーター（５１）（図３０）を駆動することにより、駆動ローラー（２０）（図３１）が回転させる。
その後、クラッチ軸（２３）をＣ方向（駆動方向）に移動させて、駆動ローラー（２０）を落下させて駆動ディスク（３０）を駆動させる。
【０１３６】
図３３Ａ．は、クラッチボックス（６４）のクラッチが駆動ＯＦＦ状態、即ち、駆動ローラー（２０）と駆動面（４）が離れた非接触（離間）状態を示した図面である。
【０１３７】
図３３Ｂ．は、クラッチボックス（６４）のクラッチが駆動ＯＮの状態、即ち、駆動ローラー（２０）が駆動面（４）に押し付けられた接触（圧接）状態を示した図面である。
【０１３８】
図３４は、クラッチ軸（２３）の形状（正面図と側面図）を示した図面である（Ａ．は正面図、Ｂ．は側面図。）。
【０１３９】
クラッチ軸（２３）は、自転を抑制するために四角形等の多角形の形状とする。
【０１４０】
図３５は、クラッチ駆動ＯＦＦの状態、即ち、駆動ローラから離脱して、スプール（５３）が自由回転できる状態を示した図面である。
【０１４１】
図３６は、クラッチ駆動ＯＮの状態、即ち、駆動ローラ（２０）が駆動面（４）に圧接して、駆動ローラー（２０）により駆動面（４）が駆動される状態を示した図面である。
【０１４２】
図３７は、クラッチボックス（６４）のクラッチが駆動ＯＦＦである状態と、駆動ＯＮである状態を示した図面である。
【０１４３】
図３７Ａ．は、クラッチボックス（６４）のクラッチが駆動ＯＦＦ状態、即ち、駆動ローラー（２０）と駆動面（４）が離れた非接触（離間）状態を示した図面である。
【０１４４】
図３７Ｂ．は、クラッチボックス（６４）のクラッチが駆動ＯＮの状態、即ち、駆動ローラー（２０）が駆動面（４）に押し付けられた接触（圧接）状態を示した図面である。
【０１４５】
図３８は、クラッチボックス（６４）の外観を示した図面である。
【０１４６】
図３８上段左側から、クラッチボックス（６４）（駆動ＯＮ）上面図、クラッチボックス（６４）（駆動ＯＦＦ）上面図、及び、クラッチボックス（６４）（駆動ＯＮ）底面図を示した。
【０１４７】
図３８下段左側から、クラッチボックス（６４）（駆動ＯＮ）右側面図、クラッチボックス（６４）（駆動ＯＮ）左側面図、及び、クラッチボックス（６４）（駆動ＯＮ）斜視図を示した。
【実施例６】
【０１４８】
実施例６として、本願発明に係る釣り用電動リールにおいて使用するスプールカバー（５４）の最も好ましい形態を、図３９乃至図４１に示した。
【０１４９】
図３９に、スプールカバー本体（５４）の外観を示した（Ａ．正面図、Ｂ．側面図、Ｃ．背面図。）。
【０１５０】
図４０に、スプールカバー本体（５４）に設けた溝（４０）部と穴（４１）部の外観を示した（Ｂ．側面図、Ｃ．背面図、Ｄ．断面図。）。
【０１５１】
図４１に、スプールカバー本体（５４）の外観を示した（Ａ．正面図、Ｂ．側面図、Ｃ．部分断面図。）。
【実施例７】
【０１５２】
実施例７として、本願発明に係る釣り用電動リールにおいて使用するスプールカバーフタ（５５）の最も好ましい形態を、図４２及び４３に示した。
【０１５３】
図４２に、スプールカバーフタ（５５）の外観写真を示した。
スプールカバーフタ（５５）は、スプールカバー本体（５４）に対して嵌め込み式で、しっかりと且つ柔軟に脱着することができる。
【０１５４】
図４２上段左側から、スプールカバーフタ（５５）正面図、スプールカバーフタ（５５）背面図、及び、スプールカバーフタ（５５）側面図を示した。
【０１５５】
図４２下段左側に、３種類のスプールカバーフタ（５５）斜視図を示した。
【０１５６】
図４３に、スプールカバーフタ（５５）と板バネ（６０）の外観を示した。
スプールカバーフタ（５５）を、スプールカバー本体（５４）に対して嵌め込み式で、しっかりと装着する場合には、板バネ（６０）により押さえ付けられて確実に固定されて脱落しない。
【実施例８】
【０１５７】
実施例８として、本願発明に係る釣り用電動リールにおいて使用するスプールカバーガイド（６６）の最も好ましい形態を、図４４及び４５に示した。
【０１５８】
図４４に、スプールカバーガイド（６６）の外観を示した。
【０１５９】
図４５に、スプールカバーガイド（６６）と糸（Ｋ）の外観を示した。
【実施例９】
【０１６０】
実施例９として、本願発明に係る釣り用電動リールにおいて使用する棚取り用釣り糸（Ｋ）フック（Ｆ）の最も好ましい形態を、図４６に示した。
【０１６１】
図４６に、棚取り用釣り糸（Ｋ）フック（Ｆ）の外観を示した。
【実施例１０】
【０１６２】
実施例１０として、本願発明に係る釣り用電動リールにおける糸（Ｋ）の巻き取り状態／繰り出し状態の形態を、図４７及び４８に示した。
【０１６３】
図４７に、糸（Ｋ）を巻き取った状態のスプール（５３）の外観を示した。
【０１６４】
図４８に、スプール（５３）と糸（Ｋ）の外観を示した。
【０１６５】
スプールカバーフタ（５５）には、スプールカバーガイド（６６）が少なくとも一つ設けてあり、スプール（５３）からの糸（Ｋ）出し支点（６８）とリミットスイッチガイド（６７）の間にスプールカバーガイド（６６）を一つ以上設け、好ましくは、支点（６８）から本体（７０）パイプの中心線を基準として±１５度とする。
【０１６６】
本発明に係る釣り用電動リールの素材は、特に限定されるものではないが、一般的には、金属材料、プラスチック材料等が好ましく用いられ、より好ましくは、アルミニウム、真鍮、ステンレススチール（ＳＵＳ）、チタン、チタン合金、銅合金、樹脂、プラスチック等、又、前記の材料に限定されること無く各種の材料を用いることができる。
【０１６７】
本発明に係る釣り用電動リールの素材は、特に限定されるものではないが、一般的には、軽量化、小型化を図ることを目的として、比重の軽い素材を使うことが望ましい。
また、グリップ部分には軟体性のゴムもしくは、発砲ゴム及びコルク材などを使うことが望ましい。
【０１６８】
本発明に係る釣り用電動リールの穂先取り付けジョイント（５７）は、本体（７０）パイプとネジ式で脱着することができ、穂先の製造会社毎に、その会社のシャンク径規格に合わせることができる。
【０１６９】
補助台(Ｓ）は、台（Ｔ）の下に軟体性滑り止めテープ（７２−a、７２−ｂ）を付与し、本体の安定性を保つと共に、釣り人による魚を誘う時の衝撃を緩和することができる。
【０１７０】
［要約書］
［課題］  従来の釣り用電動リールにおいては、スプール本体のフランジ外側面を駆動面として利用していたために、釣り糸と駆動機構（駆動ローラー及び駆動面）の距離が近過ぎ、スプールから外れた釣り糸が、駆動力伝達軸やスプールに巻き付いたり、釣り糸が絡んだりするトラブルを解消すること。
［解決手段］  駆動ローラー（２０）の回転により、スプール（５３）の駆動面（４）を、スプール軸（５８）を中心として回転させることにより、スプール（５３）全体を回転させる釣り用電動リールにおいて、スプール（５３）の駆動面（４）を、フランジ（６９−ａ、６９−ｂ）とは別個独立に設けた駆動ディスク（３０）の側面に設ける。
［効果］  駆動ローラー（２０）と駆動面（４）の間に釣り糸（Ｋ）が巻き込まれることにより発生する糸絡みの発生頻度を顕著に低減する。
［選択図］  図１
【図面の簡単な説明】
【０１７１】
【図１】本願発明に係る釣り用電動リール。Ａ．左側面から見た全体断面図、Ｂ．上面図
【図２】本願発明に係る釣り用電動リール（左側面から見た全体断面図）
【図３】本願発明に係る釣り用電動リール （上面図）
【図４】本願発明に係る釣り用電動リール（好ましい形態）
【図５】本願発明に係る釣り用電動リール（好ましい形態）の正面図
【図６】本願発明に係る釣り用電動リール（好ましい形態）の背面図
【図７】本願発明に係る釣り用電動リール（好ましい形態）の右側面図
【図８】本願発明に係る釣り用電動リール（好ましい形態）の左側面図
【図９】本願発明に係る釣り用電動リール（好ましい形態）の上面図
【図１０】本願発明に係る釣り用電動リール（好ましい形態）の底面図
【図１１】本願発明に係る釣り用電動リール（好ましい形態）の斜視図 〜１
【図１２】本願発明に係る釣り用電動リール（好ましい形態）の斜視図 〜２
【図１３】本願発明に係る釣り用電動リール（好ましい形態）の斜視図 〜３
【図１４】本願発明に係る釣り用電動リール（好ましい形態）の斜視図 〜４
【図１５】スプール（５３）（好ましい形態）の正面図
【図１６】スプール（５３）（好ましい形態）の背面図
【図１７】スプール（５３）（好ましい形態）の右側面図
【図１８】スプール（５３）（好ましい形態）の左側面図
【図１９】スプール（５３）（好ましい形態）の上面図
【図２０】スプール（５３）（好ましい形態）の底面図
【図２１】スプール（５３）（好ましい形態）の断面図
【図２２】スプール（５３）の基本構造
【図２３】スプール（５３）周辺の部品の名称
【図２４】本願発明におけるスプールと従来の技術におけるスプールの比較対照。  Ａ．本願発明におけるスプール〜フランジから離れた駆動ディスクに駆動面を設けた態様。  Ｂ．従来の技術におけるスプール〜フランジ外側面を駆動面として利用した態様。
【図２５】駆動面（４）の表面形状。  Ａ．駆動面の表面に特殊な加工を施していない実施態様。  Ｂ．駆動面の表面に特殊な加工を施した実施態様〜その１〔円周方向に３列の貫通孔を穿った態様。大きい貫通孔の口径は、直径１．０ｍｍ、小さい貫通孔の口径は、直径０．５ｍｍ。〕。  Ｃ．駆動面の表面に特殊な加工を施した実施態様〜その２〔円周方向に３列の貫通孔を穿った態様。貫通孔の口径は、直径１．０ｍｍ。〕。
【図２６】駆動面（４）の表面形状。Ｄ．駆動面の表面に特殊な加工を施した実施態様〜その３〔放射状に渦巻き状の溝を設けた態様。溝の幅は１．０ｍｍ、深さは０．２ｍｍ〕。
【図２７】駆動面（４）の表面形状の写真。  Ａ．駆動面の表面に特殊な加工を施していない実施態様。  Ｂ．駆動面の表面に特殊な加工を施した実施態〔円周方向に３列の貫通孔を穿った態様。大きい貫通孔の口径は、直径１．０ｍｍ、小さい貫通項の口径は、直径０．５ｍｍ。〕。
【図２８】駆動面（４）の表面形状の写真。  Ｃ．駆動面の表面に特殊な加工を施した実施態様〔円周方向に３列の貫通孔を穿った態様。貫通孔の口径は、直径１．０ｍｍ。〕。  Ｄ．駆動面の表面に特殊な加工を施した実施態様〔放射状に渦巻き状の溝を設けた態様。溝の幅は１．０ｍｍ、深さは０．２ｍｍ。〕。
【図２９】スプール（５３）の加工前（上段）と加工後（下段）の外観。  上段左側から、スプール正面図（加工前）、スプール背面図（加工前）及びスプール側面図（加工前）。  下段左側から、スプール正面図（加工後）、スプール背面図（加工後）及びスプール側面図（加工後）。
【図３０】本体（７０）の断面図。本体内部におけるモーター（５１）とプーリー（５２）の設置状態。
【図３１】クラッチ駆動ＯＦＦの状態。駆動ローラ（２０）が駆動面（４）から離脱して、スプール（５３）が自由回転できる状態。
【図３２】クラッチ駆動ＯＮの状態。駆動ローラ（２０）が駆動面（４）に圧接して、駆動ローラー（２０）により駆動面（４）が駆動される状態。
【図３３】クラッチボックス（６４）のクラッチの駆動ＯＮ／ＯＦＦ状態とクラッチ軸（２３）の位置との関係。  Ａ．クラッチボックス（６４）のクラッチが駆動ＯＦＦ状態（駆動ローラー（２０）と駆動面（４）が離れた非接触（離間）状態。）。  Ｂ．クラッチボックス（６４）のクラッチが駆動ＯＮの状態（駆動ローラー（２０）が駆動面（４）に押し付けられた接触（圧接）状態。
【図３４】クラッチ軸（２３）の形状（正面図と側面図）。Ａ．正面図。Ｂ．側面図。
【図３５】クラッチ駆動ＯＦＦの状態。駆動ローラから離脱して、スプール（５３）が自由回転できる状態。
【図３６】クラッチ駆動ＯＮの状態。駆動ローラ（２０）が駆動面（４）に圧接して、駆動ローラー（２０）により駆動面（４）が駆動される状態。
【図３７】クラッチボックス（６４）のクラッチが駆動ＯＦＦの状態と駆動ＯＮの状態。  Ａ．クラッチボックス（６４）のクラッチが駆動ＯＦＦ状態（駆動ローラー（２０）と駆動面（４）が離れた非接触（離間）状態。）。  Ｂ．クラッチボックス（６４）のクラッチが駆動ＯＮの状態（駆動ローラー（２０）が駆動面（４）に押し付けられた接触（圧接）状態。
【図３８】クラッチボックス（６４）の外観。上段左側から、クラッチボックス（６４）（駆動ＯＮ）上面図、クラッチボックス（６４）（駆動ＯＦＦ）上面図、及び、クラッチボックス（６４）（駆動ＯＮ）底面図。下段左側から、クラッチボックス（６４）（駆動ＯＮ）右側面図、クラッチボックス（６４）（駆動ＯＮ）左側面図、及び、クラッチボックス（６４）（駆動ＯＮ）斜視図。
【図３９】スプールカバー本体（５４）の外観。Ａ．正面図。Ｂ．側面図。Ｃ．背面図。
【図４０】スプールカバー本体（５４）に設けた溝（４０）部と穴（４１）部の外観。Ｂ．側面図。Ｃ．背面図。Ｄ．断面図。
【図４１】スプールカバー本体（５４）の外観。Ａ．正面図。Ｂ．側面図。Ｃ．部分断面図。
【図４２】スプールカバーフタ（５５）の外観写真。  上段左側から、スプールカバーフタ（５５）正面図、スプールカバーフタ（５５）背面図、及び、スプールカバーフタ（５５）側面図。  下段左側から、スプールカバーフタ（５５）斜視図、スプールカバーフタ（５５）斜視図、及び、スプールカバーフタ（５５）斜視図。
【図４３】スプールカバーフタ（５５）と板バネ（６０）の外観。
【図４４】スプールカバーガイド（６６）の外観。
【図４５】スプールカバーガイド（６６）と糸（Ｋ）の外観。
【図４６】棚取り用釣り糸（Ｋ）フック（Ｆ）の外観。
【図４７】糸（Ｋ）を巻き取った状態のスプール（５３）の外観。
【図４８】スプール（５３）と糸（Ｋ）の外観。
【符号の説明】
【０１７２】
１  スプール
４  駆動面（駆動面をディスク側面に設けた態様。）
４’  駆動面（駆動面をフランジ側面に設けた態様。）
５  駆動ローラー（ローラーの材質は、スリップしにくい軟質ゴム・硬質ゴム等である。）
６  出力軸（モーター等によって駆動される。）
７  軸受け
８ａ  ベアリング嵌入部
８ｂ  ベアリング嵌入部
２０  駆動ローラー（ローラーの材質は、スリップしにくい軟質ゴム・硬質ゴム等である。）
２１  軟質材ローラー
２２  駆動ベルト
２３  クラッチ軸
２４  駆動ローラー取り付けブロック
２５  ブロック軸
２６  駆動ローラー軸  
２７  カラー  
２８  磁石
３０  駆動ディスク
４０  溝
４１  自転防止の四角形形状
５１  モーター
５２  プーリー
５３  スプール
５４  スプールカバー本体
５５  スプールカバーフタ
５６  リミットスイッチ
５７  穂先取り付けジョイント
５８  スプール軸
５９−a  ベアリング
５９−b  ベアリング
６０  板バネ
６１  電池
６２  エンドキャップ  
６３  グリップ
６４  クラッチボックス
６５  穂先
６６  スプールカバーガイド
６７  リミットスイッチガイド
６８  支点
６９  フランジ（糸巻き部。）
６９−ａ  フランジ（フランジの鍔。）
６９−ｂ  フランジ（フランジの鍔。）
７０  本体（パイプ製の本体パイプ。）
７１  軟体性テープ
７２−ａ  軟体性滑り止めテープ（材質は、スリップしにくい軟質ゴム・硬質ゴム等である。）
７２−ｂ  軟体性滑り止めテープ（材質は、スリップしにくい軟質ゴム・硬質ゴム等である。）
Ｋ  糸（釣り糸。）
Ｌ  スプールカバーガイド（６６）の嵌め込み溝
Ｎ  窓
Ｑ  レバースイッチ
Ｒ  ボタンスイッチ
Ｓ  補助台
Ｔ  台
【図１】
2010063377.tif 000003
【図２】
2010063377.tif 000004
【図３】
2010063377.tif 000005
【図４】
2010063377.tif 000006
【図５】
2010063377.tif 000007
【図６】
2010063377.tif 000008
【図７】
2010063377.tif 000009
【図８】
2010063377.tif 000010
【図９】
2010063377.tif 000011
【図１０】
2010063377.tif 000012
【図１１】
2010063377.tif 000013
【図１２】
2010063377.tif 000014
【図１３】
2010063377.tif 000015
【図１４】
2010063377.tif 000016
【図１５】
2010063377.tif 000017
【図１６】
2010063377.tif 000018
【図１７】
2010063377.tif 000019
【図１８】
2010063377.tif 000020
【図１９】
2010063377.tif 000021
【図２０】
2010063377.tif 000022
【図２１】
2010063377.tif 000023
【図２２】
2010063377.tif 000024
【図２３】
2010063377.tif 000025
【図２４】
2010063377.tif 000026
【図２５】
2010063377.tif 000027
【図２６】
2010063377.tif 000028
【図２７】
2010063377.tif 000029
【図２８】
2010063377.tif 000030
【図２９】
2010063377.tif 000031
【図３０】
2010063377.tif 000032
【図３１】
2010063377.tif 000033
【図３２】
2010063377.tif 000034
【図３３】
2010063377.tif 000035
【図３４】
2010063377.tif 000036
【図３５】
2010063377.tif 000037
【図３６】
2010063377.tif 000038
【図３７】
2010063377.tif 000039
【図３８】
2010063377.tif 000040
【図３９】
2010063377.tif 000041
【図４０】
2010063377.tif 000042
【図４１】
2010063377.tif 000043
【図４２】
2010063377.tif 000044
【図４３】
2010063377.tif 000045
【図４４】
2010063377.tif 000046
【図４５】
2010063377.tif 000047
【図４６】
2010063377.tif 000048
【図４７】
2010063377.tif 000049
【図４８】
2010063377.tif 000050
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
モーター（５１）、プーリー（５２）、駆動ベルト（２２）、駆動ローラー（２０）、クラッチボックス（６４）、スプール（５３）、スプール軸 （５８）、スプールカバー本体（５４）、スプールカバーフタ（５５）、板バネ（６０）、リミットスイッチ（５６）、電池（６１）、穂先取り付けジョイント（５７）、補助台（Ｓ）、ボタンスイッチ（Ｒ）、および、レバースイッチ（Ｑ）のモジュールを含んで構成される釣り用電動リールであって、
第１の基本構造として、スプール系基本構造が、スプール（１）が軸受け（７）に貫通されたスプール軸 （５８）を中心として回転するものであり、スプール（１）が、駆動ディスク（３０）、フランジ（６９−ａ、６９―ｂ）とベアリング（５９）を含んで構成され、駆動ローラー（２０）の回転により、駆動ディスク（３０）に設けられた駆動面（４）をスプール軸 （５８）を中心として回転させることにより、スプール（１）全体を回転させるものであり、
第２の基本構造として、駆動系基本構造が、モーター（５１）の回転軸に取り付けたプーリー（５２）を、電池（６１）を電源としてモーター（５１）を回転せしめることにより回転をさせ、駆動ベルト（２２）を介して駆動ローラー（２０）を回転せしめ、駆動ローラー（２０）を回転をさせることにより駆動ディスク（３０）スプール軸 （５８）を中心に回転させることによりスプール（５３）を回転せしめるものであり、
第３の基本構造として、回転系基本構造が、ボタンスイッチ（Ｒ）及び／又はレバースイッチ（Ｑ）をＯＮとしたクラッチＯＮ状態においては、モーター（５１）の回転軸に取り付けたプーリー（５２）を、モーター（５１）の駆動により回転せしめ、プーリー（５２）を回転をさせることにより駆動ベルト（２２）を介して駆動ローラー（２０）を回転せしめ、クラッチＯＮとすることにより、駆動ローラー（２０）の回転を伝達して、スプール軸 （５８）を中心としてスプール（５３）を回転せしめることにより糸（Ｋ）を巻き上げるものであり、ボタンスイッチ（Ｒ）及び／又はレバースイッチ（Ｑ）をＯＦＦとしたクラッチＯＦＦ状態においては、クラッチＯＦＦとすることにより、駆動ローラー（２０）の回転を遮断して、スプール軸 （５８）を中心としてスプール（５３）を自由回転状態とすることにより糸（Ｋ）を繰り出すものであり、
第４の基本構造として、糸繰り出し巻き上げ系基本構造が、スプール（１）に設けられた二つのフランジ（６９−ａ、６９―ｂ）の間の谷間に巻き取った糸（Ｋ）を繰り出したり巻き上げたりするものであり、スプール（１）は、スプールカバー本体（５４）とスプールカバーフタ（５５）を含んで構成される筐体の内部に収納され、スプールカバーフタ（５５）は、スプールカバー本体（５４）に嵌め込まれたものであり、スプールカバー本体（５４）とスプールカバーフタ（５５）は板バネ（６０）によって圧着されたものであり、
第５の基本構造として、本体基本構造として、本体（７０）の内部にモーター（５１）と電池（６１）を収納し、本体（７０）の外部に回転系基本構造におけるスプール（１）、及び、駆動系基本構造におけるモーター（５１）を、非可動式かつ定常的に固定し、本体（７０）の先端部分に穂先を取り付けるための穂先取り付けジョイント（５７）を備えたものであって、
第１の発明特定事項として、スプール系構造において、スプール（５３）の駆動面（４）を、フランジ（６９−ａ、６９−ｂ）の側面に設けるのではなく、フランジ（６９−ａ、６９−ｂ）とは独立に設けた駆動ディスク（３０）の側面に設けることにより糸（Ｋ）が駆動ディスク（３０）までに到達し難くいという発明特定事項を具備せしめることにより、
第１の機能として、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体内部の糸絡み（バックラッシュ）を顕著に抑制するという機能を奏し、
第２の発明特定事項として、スプール（５３）外側面とスプールカバー本体（５４）内側面の隙間、並びに、スプール（５３）外側面とスプールカバーフタ（５５）内側面の隙間を、使用すべき糸（Ｋ）の直径よりも小さい隙間とする発明特定事項を具備せしめることにより、
第２の機能として、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体外部の糸絡み（バックラッシュ）を顕著に抑制するという機能を奏し、
第３の発明特定事項として、クラッチ系構造において、ボタンスイッチ（Ｒ）及び／又はレバースイッチ（Ｑ）をＯＮとすることによりクラッチボックス（６４）内のクラッチをＯＮとした場合には、駆動ローラー（２０）の回転を駆動ディスク（３０）に伝えてスプール（５３）を回転させることにより糸（Ｋ）を巻き取るという巻き取りモードとし、ボタンスイッチ（Ｒ）及び／又はレバースイッチ（Ｑ）をＯＦＦとすることによりクラッチボックス（６４）内のクラッチをＯＦＦとした場合には、駆動ローラー（２０）の回転を駆動ディスク（３０）に伝えずに、スプール（５３）を自由回転状態とすることにより糸（Ｋ）を繰り出すという繰り出しモードとする発明特定事項を具備せしめることにより、
第３の機能として、駆動系基本構造におけるモーター（５１）、及び、回転系基本構造におけるスプール（１）を、本体（７０）に対して、非可動式の定常的固定状態としたまま、所望によりクラッチのスイッチのＯＮ／ＯＦＦを切り替えてスプール（５３）の糸（Ｋ）を巻き取りモード／繰り出しモードに切り替えることにより、駆動系基本構造におけるモーター（５１）からの回転系基本構造におけるスプール（１）への駆動伝達機構を単純化することができるという機能を奏し、
第４の発明特定事項として、モーター（５１）、スプール（５３）及びスプールカバー本体（５４）を、本体（７０）に固定するという発明特定事項を具備せしめることにより、
第４の機能として、モーター（５１）によりスプール（５３）を回転せしめたときに、スプール（５３）の回転に起因する振動を顕著に抑制すると共に、駆動系基本構造、回転系基本構造、回転系基本構造、及び、糸繰り出し巻き上げ系基本構造の耐用期間を顕著に延長するという機能を奏し、
第５の発明特定事項として、スプールカバーフタ（５５）をスプールカバー本体（５４）から脱着可能とし、使用すべき糸（Ｋ）を通すためのスプールカバーガイド（６６）をスプールカバーフタ（５５）と一体化して設けておき、使用すべき糸（Ｋ）を固定しておくためのフック（Ｆ）をスプール（５３）と一体化して設けておくという発明特定事項を具備せしめることにより、
第５の機能として、棚取りの際に、スプールカバーフタ（５５）をスプールカバー本体（５４）から、一時的に外して、スプールカバーフタ（５５）と一体化しているスプールカバーガイド（６６）に通してある糸（Ｋ）を、所望の位置でフック（Ｆ）に絡めることによる固定操作（リールからの繰り出す糸（Ｋ）の長さを所望の長さに固定する操作）を可能とし、固定操作終了後に、再度、スプールカバー本体（５４）をスプールカバーフタ（５５）でフタをすることを可能とすることにより、安定した棚取りを継続することができるという機能を奏する
ことを特徴とする、釣り用電動リール。
【請求項２】
「使用すべき糸（Ｋ）の直径よりも小さい隙間」
が、
「０．３ｍｍよりも小さい隙間」
であることを特徴とする、請求項１に記載した、釣り用電動リール。
【請求項３】
第６の発明特定事項として、スプールカバー本体（５４）のスプール（５３）外側面と対峙する円周方向に、貫通する溝（４０）と貫通する穴（４１）を設けておくという発明特定事項を具備せしめることにより、
第６の機能として、スプール（５３）が巻き上げ／繰り出しにより回転した際に遠心力で糸（Ｋ）から弾き飛ばされて来た液体を、貫通する溝（４０）と貫通する穴（４１）を通して、筐体外部に排除し、筐体内部にある駆動ディスク（３０）及び駆動ローラー（２０）に液体が付着することを顕著に抑制するという機能を奏することを特徴とする、
請求項１又は２に記載した、釣り用電動リール。
【請求項４】
第７の発明特定事項として、スプールカバー本体（５４）の側壁に、スプールカバーガイド（６６）を嵌め込むことができる嵌め込み溝（Ｌ）を設けておき、スプールカバー本体（５４）内側面とスプールカバーガイド（６６）内側面を同一面とするという発明特定事項を具備せしめることにより、
第７の機能として、糸（Ｋ）の巻き上げ時、及び／又は、繰り出し時における、スプール（５３）外側面とスプールカバーガイド（６６）の隙間からの糸（Ｋ）のはみ出しに起因する糸絡み（バックラッシュ）を顕著に抑制するという機能を奏することを特徴とする、
請求項１乃至３の何れかに記載した、釣り用電動リール。
【請求項５】
第８の発明特定事項として、
駆動ディスク（３０）の駆動面（４）表面において、
駆動ディスク（３０）の深さ方向については、駆動面（４）表面から反対側の側面に向けて、
駆動ディスク（３０）の平面方向については、駆動面（４）表面の円周方向、放射線方向、又は、渦巻き状に複数穿つという発明特定事項を具備せしめることにより、
第８の機能として、
孔を介して駆動面（４）表面上の水及び／又は油を排除するという機能と、
孔に起因する摩擦抵抗により、駆動面（４）表面上における駆動ローラー（２０）のスリップを抑制するという機能を奏することを特徴とする、
請求項１乃至４の何れかに記載した釣り用電動リール。
【請求項６】
孔が、駆動面（４）表面上における駆動ローラー（２０）の接触長さの１〜８０％の直径を有するものであることを特徴とする、
請求項５に記載した釣り用電動リール。
【請求項７】
孔が、円周方向に沿って孔の直径の２０〜２００％の長さの間隔で穿ったものであることを特徴とする、
請求項５又は６に記載した釣り用電動リール。
【請求項８】
孔が、
一の孔の中心と、隣接する他の孔の中心の距離が直径の１００〜１０００％であることを特徴とする、
請求項５乃至７の何れかに記載した釣り用電動リール。
【請求項９】
孔の深さが、
駆動面（４）の厚みの０．０１〜１００％（貫通）であることを特徴とする、
請求項５乃至８の何れかに記載した釣り用電動リール。
【請求項１０】
第９の発明特定事項として、
駆動ディスク（３０）の駆動面（４）において、
駆動ディスク（３０）の平面方向について、放射状及び／又は渦巻き状の溝を複数穿つという発明特定事項を具備せしめることにより、
第９の機能として、
駆動面（４）表面上に穿った溝を介して駆動面（４）表面上の水及び／又は油を遠心力により排除するという機能と、
溝に起因する摩擦抵抗により、駆動面（４）表面上における駆動ローラー（２０）のスリップを抑制するという機能を奏することを特徴とする、
請求項１乃至９の何れかに記載した釣り用電動リール。
【請求項１１】
溝が、
駆動面（４）表面上における駆動ローラー（２０）の接触長さの１〜８０％の溝幅を有するものであることを特徴とする、
請求項１０に記載した釣り用電動リール。
【請求項１２】
溝が、
放射状及び／又は渦巻き状となっている相互に隣接する直近の溝同士の中心間隔が、溝幅の１００〜１０００％の長さの間隔であることを特徴とする、
請求項１０又は１１に記載した釣り用電動リール。
【請求項１３】
溝が、
駆動面（４）の厚みの０．０１〜１００％の深さを有するものであることを特徴とする、
請求項１０乃至１２の何れかに記載した釣り用電動リール。
【手続補正２】
【補正対象書類名】明細書
【補正対象項目名】００３０
【補正方法】変更
【補正の内容】
【００３０】
本出願に係る発明は、以下に示す［請求項１］〜［請求項１３］に記載した発明である。
【手続補正３】
【補正対象書類名】明細書
【補正対象項目名】００３１
【補正方法】変更
【補正の内容】
【００３１】
［請求項１］
モーター（５１）、プーリー（５２）、駆動ベルト（２２）、駆動ローラー（２０）、クラッチボックス（６４）、スプール（５３）、スプール軸 （５８）、スプールカバー本体（５４）、スプールカバーフタ（５５）、板バネ（６０）、リミットスイッチ（５６）、電池（６１）、穂先取り付けジョイント（５７）、補助台（Ｓ）、ボタンスイッチ（Ｒ）、および、レバースイッチ（Ｑ）のモジュールを含んで構成される釣り用電動リールであって、
第１の基本構造として、スプール系基本構造が、スプール（１）が軸受け（７）に貫通されたスプール軸 （５８）を中心として回転するものであり、スプール（１）が、駆動ディスク（３０）、フランジ（６９−ａ、６９―ｂ）とベアリング（５９）を含んで構成され、駆動ローラー（２０）の回転により、駆動ディスク（３０）に設けられた駆動面（４）をスプール軸 （５８）を中心として回転させることにより、スプール（１）全体を回転させるものであり、
第２の基本構造として、駆動系基本構造が、モーター（５１）の回転軸に取り付けたプーリー（５２）を、電池（６１）を電源としてモーター（５１）を回転せしめることにより回転をさせ、駆動ベルト（２２）を介して駆動ローラー（２０）を回転せしめ、駆動ローラー（２０）を回転をさせることにより駆動ディスク（３０）スプール軸 （５８）を中心に回転させることによりスプール（５３）を回転せしめるものであり、
第３の基本構造として、回転系基本構造が、ボタンスイッチ（Ｒ）及び／又はレバースイッチ（Ｑ）をＯＮとしたクラッチＯＮ状態においては、モーター（５１）の回転軸に取り付けたプーリー（５２）を、モーター（５１）の駆動により回転せしめ、プーリー（５２）を回転をさせることにより駆動ベルト（２２）を介して駆動ローラー（２０）を回転せしめ、クラッチＯＮとすることにより、駆動ローラー（２０）の回転を伝達して、スプール軸 （５８）を中心としてスプール（５３）を回転せしめることにより糸（Ｋ）を巻き上げるものであり、ボタンスイッチ（Ｒ）及び／又はレバースイッチ（Ｑ）をＯＦＦとしたクラッチＯＦＦ状態においては、クラッチＯＦＦとすることにより、駆動ローラー（２０）の回転を遮断して、スプール軸 （５８）を中心としてスプール（５３）を自由回転状態とすることにより糸（Ｋ）を繰り出すものであり、
第４の基本構造として、糸繰り出し巻き上げ系基本構造が、スプール（１）に設けられた二つのフランジ（６９−ａ、６９―ｂ）の間の谷間に巻き取った糸（Ｋ）を繰り出したり巻き上げたりするものであり、スプール（１）は、スプールカバー本体（５４）とスプールカバーフタ（５５）を含んで構成される筐体の内部に収納され、スプールカバーフタ（５５）は、スプールカバー本体（５４）に嵌め込まれたものであり、スプールカバー本体（５４）とスプールカバーフタ（５５）は板バネ（６０）によって圧着されたものであり、
第５の基本構造として、本体基本構造として、本体（７０）の内部にモーター（５１）と電池（６１）を収納し、本体（７０）の外部に回転系基本構造におけるスプール（１）、及び、駆動系基本構造におけるモーター（５１）を、非可動式かつ定常的に固定し、本体（７０）の先端部分に穂先を取り付けるための穂先取り付けジョイント（５７）を備えたものであって、
第１の発明特定事項として、スプール系構造において、スプール（５３）の駆動面（４）を、フランジ（６９−ａ、６９−ｂ）の側面に設けるのではなく、フランジ（６９−ａ、６９−ｂ）とは独立に設けた駆動ディスク（３０）の側面に設けることにより糸（Ｋ）が駆動ディスク（３０）までに到達し難くいという発明特定事項を具備せしめることにより、
第１の機能として、糸（Ｋ）の巻き上げ時、及び／又は、繰り出し時における、スプール（５３）外側面とスプールカバー本体（５４）内側面の隙間からの糸（Ｋ）のはみ出し、及び／又は、スプール（５３）外側面とスプールカバーフタ（５５）内側面の隙間からの糸（Ｋ）のはみ出しに起因する、駆動面（４）と駆動ローラー（２０）の間に糸（Ｋ）が巻き込まれることにより発生する筐体内部の糸絡み（バックラッシュ）を顕著に抑制するという機能を奏し、
第２の発明特定事項として、スプール（５３）外側面とスプールカバー本体（５４）内側面の隙間、並びに、スプール（５３）外側面とスプールカバーフタ（５５）内側面の隙間を、使用すべき糸（Ｋ）の直径よりも小さい隙間とする発明特定事項を具備せしめることにより、
第２の機能として、糸（Ｋ）の巻き上げ時、及び／又は、繰り出し時における、スプール（５３）外側面とスプールカバー本体（５４）内側面の隙間からの糸（Ｋ）のはみ出し、並びに、スプール（５３）外側面とスプールカバーフタ（５５）内側面の隙間からの糸（Ｋ）のはみ出しに起因する筐体外部の糸絡み（バックラッシュ）を顕著に抑制するという機能を奏し、
第３の発明特定事項として、クラッチ系構造において、ボタンスイッチ（Ｒ）及び／又はレバースイッチ（Ｑ）をＯＮとすることによりクラッチボックス（６４）内のクラッチをＯＮとした場合には、駆動ローラー（２０）の回転を駆動ディスク（３０）に伝えてスプール（５３）を回転させることにより糸（Ｋ）を巻き取るという巻き取りモードとし、ボタンスイッチ（Ｒ）及び／又はレバースイッチ（Ｑ）をＯＦＦとすることによりクラッチボックス（６４）内のクラッチをＯＦＦとした場合には、駆動ローラー（２０）の回転を駆動ディスク（３０）に伝えずに、スプール（５３）を自由回転状態とすることにより糸（Ｋ）を繰り出すという繰り出しモードとする発明特定事項を具備せしめることにより、
第３の機能として、駆動系基本構造におけるモーター（５１）、及び、回転系基本構造におけるスプール（１）を、本体（７０）に対して、非可動式の定常的固定状態としたまま、所望によりクラッチのスイッチのＯＮ／ＯＦＦを切り替えてスプール（５３）の糸（Ｋ）を巻き取りモード／繰り出しモードに切り替えることにより、駆動系基本構造におけるモーター（５１）からの回転系基本構造におけるスプール（１）への駆動伝達機構を単純化することができるという機能を奏し、
第４の発明特定事項として、モーター（５１）、スプール（５３）及びスプールカバー本体（５４）を、本体（７０）に固定するという発明特定事項を具備せしめることにより、
第４の機能として、モーター（５１）によりスプール（５３）を回転せしめたときに、スプール（５３）の回転に起因する振動を顕著に抑制すると共に、駆動系基本構造、回転系基本構造、回転系基本構造、及び、糸繰り出し巻き上げ系基本構造の耐用期間を顕著に延長するという機能を奏し、
第５の発明特定事項として、スプールカバーフタ（５５）をスプールカバー本体（５４）から脱着可能とし、使用すべき糸（Ｋ）を通すためのスプールカバーガイド（６６）をスプールカバーフタ（５５）と一体化して設けておき、使用すべき糸（Ｋ）を固定しておくためのフック（Ｆ）をスプール（５３）と一体化して設けておくという発明特定事項を具備せしめることにより、
第５の機能として、棚取りの際に、スプールカバーフタ（５５）をスプールカバー本体（５４）から、一時的に外して、スプールカバーフタ（５５）と一体化しているスプールカバーガイド（６６）に通してある糸（Ｋ）を、所望の位置でフック（Ｆ）に絡めることによる固定操作（リールからの繰り出す糸（Ｋ）の長さを所望の長さに固定する操作）を可能とし、固定操作終了後に、再度、スプールカバー本体（５４）をスプールカバーフタ（５５）でフタをすることを可能とすることにより、安定した棚取りを継続することができるという機能を奏する
ことを特徴とする、釣り用電動リール。
【手続補正４】
【補正対象書類名】明細書
【補正対象項目名】００３２
【補正方法】変更
【補正の内容】
【００３２】
［請求項２］
「使用すべき糸（Ｋ）の直径よりも小さい隙間」が、「０．３ｍｍよりも小さい隙間」であることを特徴とする、請求項１に記載した、釣り用電動リール。
【手続補正５】
【補正対象書類名】明細書
【補正対象項目名】００３３
【補正方法】変更
【補正の内容】
【００３３】
［旧請求項３］
「モーター（５１）、スプール（５３）及びスプールカバー本体（５４）を、本体（７０）に固定する」が、「モーター（５１）、スプール（５３）及びスプールカバー本体（５４）を、本体（７０）に対して非可動式とする」であることを特徴とする、請求項１又は２に記載した、釣り用電動リール。
【手続補正６】
【補正対象書類名】明細書
【補正対象項目名】００３４
【補正方法】変更
【補正の内容】
【００３４】
［請求項３］
第６の発明特定事項として、スプールカバー本体（５４）のスプール（５３）外側面と対峙する円周方向に、貫通する溝（４０）と貫通する穴（４１）を設けておくという発明特定事項を具備せしめることにより、
第６の機能として、スプール（５３）が巻き上げ／繰り出しにより回転した際に遠心力で糸（Ｋ）から弾き飛ばされて来た液体を、貫通する溝（４０）と貫通する穴（４１）を通して、筐体外部に排除し、筐体内部にある駆動ディスク（３０）及び駆動ローラー（２０）に液体が付着することを顕著に抑制するという機能を奏することを特徴とする、
請求項１又は２に記載した、釣り用電動リール。
【手続補正７】
【補正対象書類名】明細書
【補正対象項目名】００３５
【補正方法】変更
【補正の内容】
【００３５】
［請求項４］
第７の発明特定事項として、スプールカバー本体（５４）の側壁に、スプールカバーガイド（６６）を嵌め込むことができる嵌め込み溝（Ｌ）を設けておき、スプールカバー本体（５４）内側面とスプールカバーガイド（６６）内側面を同一面とするという発明特定事項を具備せしめることにより、
第７の機能として、糸（Ｋ）の巻き上げ時、及び／又は、繰り出し時における、スプール（５３）外側面とスプールカバーガイド（６６）の隙間からの糸（Ｋ）のはみ出しに起因する糸絡み（バックラッシュ）を顕著に抑制するという機能を奏することを特徴とする、
請求項１乃至３の何れかに記載した、釣り用電動リール。
【手続補正８】
【補正対象書類名】明細書
【補正対象項目名】００３６
【補正方法】変更
【補正の内容】
【００３６】
［請求項５］
第８の発明特定事項として、
駆動ディスク（３０）の駆動面（４）表面において、
駆動ディスク（３０）の深さ方向については、駆動面（４）表面から反対側の側面に向けて、
駆動ディスク（３０）の平面方向については、駆動面（４）表面の円周方向、放射線方向、又は、渦巻き状に複数穿つという発明特定事項を具備せしめることにより、
第８の機能として、
孔を介して駆動面（４）表面上の水及び／又は油を排除するという機能と、
孔に起因する摩擦抵抗により、駆動面（４）表面上における駆動ローラー（２０）のスリップを抑制するという機能を奏することを特徴とする、
請求項１乃至４の何れかに記載した釣り用電動リール。
【手続補正９】
【補正対象書類名】明細書
【補正対象項目名】００３７
【補正方法】変更
【補正の内容】
【００３７】
［請求項６］
孔が、駆動面（４）表面上における駆動ローラー（２０）の接触長さの１〜８０％の直径を有するものであることを特徴とする、
請求項５に記載した釣り用電動リール。
【手続補正１０】
【補正対象書類名】明細書
【補正対象項目名】００３８
【補正方法】変更
【補正の内容】
【００３８】
［請求項７］
孔が、円周方向に沿って孔の直径の２０〜２００％の長さの間隔で穿ったものであることを特徴とする、
請求項５又は６に記載した釣り用電動リール。
【手続補正１１】
【補正対象書類名】明細書
【補正対象項目名】００３９
【補正方法】変更
【補正の内容】
【００３９】
［請求項８］
孔が、
一の孔の中心と、隣接する他の孔の中心の距離が直径の１００〜１０００％であることを特徴とする、
請求項５乃至７の何れかに記載した釣り用電動リール。
【手続補正１２】
【補正対象書類名】明細書
【補正対象項目名】００４０
【補正方法】変更
【補正の内容】
【００４０】
［請求項９］
孔の深さが、
駆動面（４）の厚みの０．０１〜１００％（貫通）であることを特徴とする、
請求項５乃至８の何れかに記載した釣り用電動リール。
【手続補正１３】
【補正対象書類名】明細書
【補正対象項目名】００４１
【補正方法】変更
【補正の内容】
【００４１】
［請求項１０］
第９の発明特定事項として、
駆動ディスク（３０）の駆動面（４）において、
駆動ディスク（３０）の平面方向について、放射状及び／又は渦巻き状の溝を複数穿つという発明特定事項を具備せしめることにより、
第９の機能として、
駆動面（４）表面上に穿った溝を介して駆動面（４）表面上の水及び／又は油を遠心力により排除するという機能と、
溝に起因する摩擦抵抗により、駆動面（４）表面上における駆動ローラー（２０）のスリップを抑制するという機能を奏することを特徴とする、
請求項１乃至９の何れかに記載した釣り用電動リール。
【手続補正１４】
【補正対象書類名】明細書
【補正対象項目名】００４２
【補正方法】変更
【補正の内容】
【００４２】
［請求項１１］
溝が、
駆動面（４）表面上における駆動ローラー（２０）の接触長さの１〜８０％の溝幅を有するものであることを特徴とする、
請求項１０に記載した釣り用電動リール。
【手続補正１５】
【補正対象書類名】明細書
【補正対象項目名】００４３
【補正方法】変更
【補正の内容】
【００４３】
［請求項１２］
溝が、
放射状及び／又は渦巻き状となっている相互に隣接する直近の溝同士の中心間隔が、溝幅の１００〜１０００％の長さの間隔であることを特徴とする、
請求項１０又は１１に記載した釣り用電動リール。
【手続補正１６】
【補正対象書類名】明細書
【補正対象項目名】００４４
【補正方法】変更
【補正の内容】
【００４４】
［請求項１３］
溝が、
駆動面（４）の厚みの０．０１〜１００％の深さを有するものであることを特徴とする、
請求項１０乃至１２の何れかに記載した釣り用電動リール。
【手続補正１７】
【補正対象書類名】明細書
【補正対象項目名】００４７
【補正方法】変更
【補正の内容】
【００４７】
本発明に係る釣り用電動リールについては、既存の従来の可動式スプールを具備した釣り用電動リール製品とは極めて対照的に、スプール（５３）を完全に固定するという独自の新規構造を採用したことにより、スプール（５３）とスプールカバー本体（５４）及びスプールカバーフタ（５５）の隙間を、０．３ｍｍよりも小さい極度に狭い隙間で、極めて高精度で安定的に維持できることから、糸絡み（バックラッシュ）を極度に抑制することができるという画期的な機能を発揮することができる。
これらの隙間は、加工装置として、ＣＡＤ／ＣＡＭシステム、ＮＣ加工システム等を応用することにより、精度（有効数字）を±１０の１乗μｍ〜±１０の２乗μｍ〜±１０の３乗μｍのレベルで制御することが可能である。
【手続補正１８】
【補正対象書類名】明細書
【補正対象項目名】００４９
【補正方法】変更
【補正の内容】
【００４９】
そこで、本発明者らは、スプール（５３）とスプールカバー本体（５４）及びスプールカバーフタ（５５）の隙間を、０．３ｍｍよりも小さい極めて狭隘な隙間で、極めて高精度で設計加工するために、ＣＡＤ／ＣＡＭ、及び、ＮＣ旋盤等の手段を有効に活用することとした。
【手続補正１９】
【補正対象書類名】明細書
【補正対象項目名】００５３
【補正方法】変更
【補正の内容】
【００５３】
本発明に係る釣り用電動リールについては、既存の従来の可動式スプールを具備した釣り用電動リール製品とは極めて対照的に、モーター（５１）及びスプール（５３）の両方を完全に筐体に固定するという独自のユニークな構造を採用したことから、可動部分を極度に少なくすることができ、製作当初のチューンアップした最善の状態を持続的に維持しつつ、且つ、スプール（５３）とスプールカバー本体（５４）及びスプールカバーフタ（５５）の隙間（０．３ｍｍよりも小さい極めて狭隘な隙間）を持続的に維持しつつ、使い込みに伴うガタツキ発生・振動発生を極度に抑制し、末長く使用することができる。